(57)【要約】【課題】  ユーザの撮影画像が有効期限を越える場合は、当該ユーザの顔画像データの配信を拒否できるようにすると共に、有効期限内の撮影画像を用いたカードを作成できるようにする。【解決手段】  ユーザを撮影して顔画像データを取得する撮影システム１と、顔画像データに撮影日情報を付加して登録管理する顔画像サーバー３０と、顔画像データ及び、個人情報を取得して、顔画像データ及び個人情報に基づく撮影顔画像入りのカードを作成するプリントサーバー６と、このプリントサーバー６に対して有効期限情報及び個人情報を出力してカード作成を要求するように処理される情報処理装置４０Ａとを備え、顔画像サーバー３０は、情報処理装置４０Ｂから受信した有効期限情報と当該装置で管理する撮影日情報とを比較し、情報比較結果に基づいて当該装置からプリントサーバー６への顔画像データの配信が可能か否かを判別するものである。【選択図】        図１
2005196294.tif 000002
【特許請求の範囲】
【請求項１】
被撮影者の撮影画像に基づいて任意のカードを作成するシステムであって、
前記被撮影者を撮影して画像情報を取得する撮影装置と、
前記撮影装置によって取得された前記被撮影者の画像情報に撮影日情報を付加して登録管理する撮影画像登録管理装置と、
前記撮影画像登録管理装置から前記被撮影者の画像情報を取得し、かつ、当該被撮影者から個人情報を取得して、前記被撮影者の画像情報及び個人情報に基づく撮影画像入りのカードを作成するカード作成装置と、
前記カード作成装置に対して有効期限情報及び前記被撮影者の個人情報を出力してカード作成を要求するように処理される情報処理装置とを備え、
前記撮影画像登録管理装置は、
前記情報処理装置から受信した有効期限情報と当該撮影画像登録管理装置で管理する撮影日情報とを比較し、情報比較結果に基づいて当該撮影画像登録管理装置から前記カード作成装置への被撮影者の画像情報の配信が可能か否かを判別することを特徴とするカード作成システム。
【請求項２】
前記撮影画像登録管理装置は、
前記被撮影者の撮影画像が有効期限を越えるか否かを判別し、前記撮影画像が有効期限を越える場合は、当該撮影画像登録管理装置から前記カード作成装置への被撮影者の画像情報の配信を拒否することを特徴とする請求項１に記載のカード作成システム。
【請求項３】
前記情報処理装置は、
前記撮影装置の設置場所を検索するように操作されることを特徴とする請求項１に記載のカード作成システム。
【請求項４】
前記撮影画像登録管理装置と前記情報処理装置とが通信手段を通じて接続されることを特徴とする請求項１に記載のカード作成システム。
【請求項５】
前記撮影装置と前記撮影画像登録管理装置と前記カード作成装置とが他の通信手段を通じて接続されることを特徴とする請求項１に記載のカード作成システム。
【請求項６】
被撮影者の撮影画像に基づいて任意のカードを作成するシステムであって、
前記被撮影者を撮影して画像情報を取得する撮影装置と、
前記撮影装置によって取得された前記被撮影者の画像情報に撮影日情報を付加して管理する撮影画像登録管理装置と、
前記撮影画像登録管理装置から前記被撮影者の画像情報を取得し、かつ、当該被撮影者から個人情報を取得して、前記被撮影者の画像情報及び個人情報に基づく撮影画像入りのカードを作成するカード作成装置と、
前記カード作成装置に対して有効期限情報及び前記被撮影者の個人情報を出力してカード作成を要求するように処理される情報処理装置とを備え、
前記情報処理装置は、
前記有効期限情報を入力し、かつ、前記撮影画像登録管理装置から被撮影者の撮影日情報を入力し、前記有効期限情報と被撮影者の撮影日情報とを比較し、当該情報比較結果に基づいて前記カードが作成可能な否かを判別することを特徴とするカード作成システム。
【請求項７】
前記情報処理装置は、
前記被撮影者の撮影日から当該カード作成要求日に至る期間が前記有効期限情報に基づく有効期限を越える場合は、前記撮影画像登録管理装置からカード作成装置への被撮影者の画像情報の配信を拒否することを特徴とする請求項６に記載のカード作成システム。
【請求項８】
前記情報処理装置は、
前記撮影装置の設置場所を検索するように操作されることを特徴とする請求項６に記載のカード作成システム。
【請求項９】
前記撮影画像登録管理装置と前記情報処理装置とが通信手段を通じて接続されることを特徴とする請求項６に記載のカード作成システム。
【請求項１０】
前記撮影装置と前記撮影画像登録管理装置と前記カード作成装置とが他の通信手段を通じて接続されることを特徴とする請求項６に記載のカード作成システム。
【請求項１１】
被撮影者の撮影画像に基づいて任意のカードを作成する方法であって、
前記撮影画像を登録する被撮影者を受け付けると共に、当該被撮影者を撮影して画像情報を取得する行程と、
取得された前記被撮影者の画像情報に撮影日情報を付加して登録する行程と、
前記被撮影者からのカード作成要求を受け付けると共に、有効期限情報及び当該被撮影者の個人情報を受け付ける行程と、
受け付けられた前記有効期限情報と予め登録された撮影日情報とを比較する行程と、
情報比較結果に基づいて前記カードを作成するか否かを判別する行程と、
判別結果に基づいて前記被撮影者の画像情報及び個人情報に基づく撮影画像入りのカードを作成する行程とを有することを特徴とするカード作成方法。
【請求項１２】
前記被撮影者の撮影日から当該カード作成要求日に至る期間が前記有効期限情報に基づく有効期限を越える場合は、前記カードの作成を拒否することを特徴とする請求項１１に記載のカード作成方法。
【請求項１３】
前記被撮影者を撮影するための撮影装置の設置場所を検索することを特徴とする請求項１１に記載のカード作成方法。
【発明の詳細な説明】
【技術分野】
【０００１】
この発明は、インターネットを利用して各種試験の受験申し込み及び、その試験の合格認定カード取得が可能なオンライン受験システム等に適用して好適なカード作成システム及びカード作成方法に関するものである。
【背景技術】
【０００２】
近年、顔写真の入ったキャッシュカード、従業者証、社員証、会員証、学生証、外国人登録証、パスポート、図書館利用カード及び各種運転免許証などのＩＤカード発行システムが使用される場合が多くなってきた。例えば、従業者数の多い企業では従業者証発行システムが採用される場合が多い。このシステムでは、本社にホストコンピュータが設けられ、そのコンピュータには支社に配属された従業者の個人情報が登録されている。
【０００３】
ここで、個人情報とは氏名、住所、生年月日、従業者証の交付年月日及びその有効期限等をいう。個人情報は文字画像としてカード部材に形成されるものである。支社で例えば従業者証の満期を迎えた者が、その更新を要求する場合に、その者が本社又は支社において、本社のコンピュータにその従業者の個人情報が照会され、本社で照会の結果、その従業者が本社に登録された者であることが確認されると、本社で従業者証を発行するようになされる。
【０００４】
なお、特許文献１には、ＩＤカード更新発行システム及びＩＤカード更新方法が開示されている。このＩＤカード更新発行システムによれば、情報送受信用の制御手段が備えられ、この制御手段は、顔画像情報に付加された撮影日が有効期限内であるか否かを判定し、この顔画像情報が有効期限内に撮影されたものである場合に、個人識別情報、顔画像情報及び個人情報を情報管理装置に送信し、ここで送信した顔画像情報が情報管理装置に保存された顔画像情報との同一人物か否かの照合結果を情報管理装置から受信するというものである。
【０００５】
また、特許文献２には、顔画像情報記憶管理装置及び、顔画像情報記憶管理システム等が開示されている。この顔画像情報記憶管理装置によれば、外部端末からのＩＤ番号を伴う顔画像情報のダウンロード要求に対して情報記憶手段のＩＤ番号により参照される顔画像情報に付随する撮影日時から計算される有効期限内であるとき、該顔画像情報をネットワークを介して外部端末にダウンロードするというものである。
【０００６】
【特許文献１】特開２００３−５８６５６号公報
【特許文献２】特開２００３−９９５２７号公報
【発明の開示】
【発明が解決しようとする課題】
【０００７】
しかしながら、従来方式のＩＤカード作成システムによれば、以下のような問題がある。
【０００８】
ｉ．ＩＤカードを更新する本人が直接、ＩＤカード発行窓口に出向し、その窓口で更新手続をしなければならない。順番待ち等で更新手続に多くの時間を費やすことになる。
【０００９】
ii．ＩＤカード発行窓口で更新手続をする場合、更新窓口に来た発行要求者の本人確認は受付窓口の担当者が、旧従業者証等に形成された顔画像と、発行申請書に貼付された顔写真とを比較等することにより行っている。このときの本人確認レベルは担当者が顔特徴量を抽出する判断能力に左右されてしまう。
【００１０】
従って、更新時期が例えば、５年後等を経た発行要求者の経時変化（顔、風貌の変化）に対しては担当者の判断能力にレベル差が生じ、他人を本人として受け付けてしまうおそれがある。
【００１１】
iii．ＩＤカードに形成する顔画像は、限られた時間の中での顔部位の写真撮影がなされる。このため、表情が固くなり長い年月所持するＩＤカードの顔画像として相応しいものが得られず、発行要求者から改善が望まれている。
【００１２】
iv．インターネットを利用したカード作成システム等を構築しようとした場合に、特許文献１及び２の技術思想をそのまま取り入れただけでは、有効期限内の顔画像情報を取り寄せることができても、その有効期限内の顔画像情報を使用して各種試験の受験申し込みをしたり、その試験等の合格認定カードを取得できるようにするためには困難が伴う。
【００１３】
そこで、この発明は上述した課題を解決したものであって、被撮影者の撮影画像が有効期限を越える場合は、当該被撮影者の画像情報の配信を拒否できるようにすると共に、有効期限内の撮影画像を用いたカードを作成できるようにしたカード作成システム及びカード作成方法を提供することを目的とする。
【課題を解決するための手段】
【００１４】
上記課題を解決するために、本発明に係る第１のカード作成システムは、被撮影者の撮影画像に基づいて任意のカードを作成するシステムであって、被撮影者を撮影して画像情報を取得する撮影装置と、この撮影装置によって取得された被撮影者の画像情報に撮影日情報を付加して登録管理する撮影画像登録管理装置と、この撮影画像登録管理装置から被撮影者の画像情報を取得し、かつ、当該被撮影者から個人情報を取得して、被撮影者の画像情報及び個人情報に基づく撮影画像入りのカードを作成するカード作成装置と、このカード作成装置に対して有効期限情報及び被撮影者の個人情報を出力してカード作成を要求するように処理される情報処理装置とを備え、撮影画像登録管理装置は、情報処理装置から受信した有効期限情報と当該撮影画像登録管理装置で管理する撮影日情報とを比較し、情報比較結果に基づいて当該撮影画像登録管理装置からカード作成装置への被撮影者の画像情報の配信が可能か否かを判別することを特徴とするものである。
【００１５】
本発明に係る第１のカード作成システムによれば、被撮影者の撮影画像に基づいて任意のカードを作成する場合に、例えば、撮影装置と、撮影画像登録管理装置と、カード作成装置と、情報処理装置とが通信手段を通じて接続される。撮影装置では被撮影者を撮影して画像情報が取得される。撮影画像登録管理装置では、撮影装置によって取得された被撮影者の画像情報に撮影日情報を付加して登録管理するようになされる。
【００１６】
カード作成装置では、撮影画像登録管理装置から被撮影者の画像情報が取得されると共に、当該被撮影者から個人情報を取得して、被撮影者の画像情報及び個人情報に基づく撮影画像入りのカードが作成される。情報処理装置は、カード作成装置に対して有効期限情報及び被撮影者の個人情報を出力してカード作成を要求するように処理される。
【００１７】
これを前提にして、撮影画像登録管理装置は、情報処理装置から受信した有効期限情報と当該撮影画像登録管理装置で管理する撮影日情報とを比較し、この情報比較結果に基づいて当該撮影画像登録管理装置からカード作成装置への被撮影者の画像情報の配信が可能か否かを判別するようになされる。
【００１８】
従って、被撮影者の撮影画像が有効期限を越える場合は、撮影画像登録管理装置からカード作成装置への被撮影者の画像情報の配信を拒否することができる。これにより、有効期限内の撮影画像を用いたカードを作成できるので、撮影画像が形成されるカードの新規性かつ信頼性を向上させることができる。
【００１９】
しかも、撮影画像登録管理装置に登録された被撮影者の撮影画像が有効期限内であれば、当該撮影画像を何度も使用して複数種類のカード、例えば、各種試験申し込み時の顔画像入りの申請書類、試験場における受験票、学校等における学生証、パスポート、身分証明書、図書館利用カード等を作成することができる。
【００２０】
本発明に係る第２のカード作成システムは、被撮影者の撮影画像に基づいて任意のカードを作成するシステムであって、被撮影者を撮影して画像情報を取得する撮影装置と、この撮影装置によって取得された被撮影者の画像情報に撮影日情報を付加して管理する撮影画像登録管理装置と、この撮影画像登録管理装置から被撮影者の画像情報を取得し、かつ、当該被撮影者から個人情報を取得して、被撮影者の画像情報及び個人情報に基づく撮影画像入りのカードを作成するカード作成装置と、このカード作成装置に対して有効期限情報及び被撮影者の個人情報を出力してカード作成を要求するように処理される情報処理装置とを備え、この情報処理装置は、有効期限情報を入力し、かつ、撮影画像登録管理装置から被撮影者の撮影日情報を入力し、有効期限情報と被撮影者の撮影日情報とを比較し、当該情報比較結果に基づいてカードが作成可能な否かを判別することを特徴とするものである。
【００２１】
本発明に係る第２のカード作成システムによれば、被撮影者の撮影画像に基づいて任意のカードを作成する場合に、第１のカード作成システムと同様にして、撮影装置と、撮影画像登録管理装置と、カード作成装置と、情報処理装置とが通信手段を通じて接続される。撮影装置では被撮影者を撮影して画像情報が取得される。撮影画像登録管理装置では、撮影装置によって取得された被撮影者の画像情報に撮影日情報を付加して登録管理するようになされる。
【００２２】
カード作成装置では、撮影画像登録管理装置から被撮影者の画像情報が取得されると共に、当該被撮影者から個人情報を取得して、被撮影者の画像情報及び個人情報に基づく撮影画像入りのカードが作成される。情報処理装置は、カード作成装置に対して有効期限情報及び被撮影者の個人情報を出力してカード作成を要求するように処理される。
【００２３】
これを前提にして、情報処理装置は、有効期限情報を入力し、かつ、撮影画像登録管理装置から被撮影者の撮影日情報を入力し、有効期限情報と被撮影者の撮影日情報とを比較し、当該情報比較結果に基づいてカードが作成可能な否かを判別するようになされる。
【００２４】
従って、被撮影者の撮影画像が有効期限を越える場合は、撮影画像登録管理装置からカード作成装置への被撮影者の画像情報の配信を拒否することができる。これにより、有効期限内の撮影画像を用いたカードを作成できるので、撮影画像が形成されるカードの新規性かつ信頼性を向上させることができる。しかも、第１のカード作成システムと同様にして、被撮影者の撮影画像が有効期限内であれば、当該撮影画像を何度も使用して複数種類のカードを作成することができる。
【００２５】
本発明に係るカード作成方法は、被撮影者の撮影画像に基づいて任意のカードを作成する方法であって、撮影画像を登録する被撮影者を受け付けると共に、当該被撮影者を撮影して画像情報を取得する行程と、ここで取得された被撮影者の画像情報に撮影日情報を付加して登録する行程と、被撮影者からのカード作成要求を受け付けると共に、有効期限情報及び当該被撮影者の個人情報を受け付ける行程と、ここで受け付けられた有効期限情報と予め登録された撮影日情報とを比較する行程と、この情報比較結果に基づいてカードを作成するか否かを判別する行程と、この判別結果に基づいて被撮影者の画像情報及び個人情報に基づく撮影画像入りのカードを作成する行程とを有することを特徴とするものである。
【００２６】
本発明に係るカード作成方法によれば、被撮影者の撮影画像に基づいて任意のカードを作成する場合に、被撮影者の撮影日から当該カード作成要求日に至る期間が有効期限情報に基づく有効期限を越える場合は、当該カードの作成を拒否することができる。従って、有効期限内の撮影画像を用いたカードを作成できるので、撮影画像が形成されるカードの新規性かつ信頼性を向上させることができる。
【発明の効果】
【００２７】
本発明に係る第１のカード作成システムによれば、被撮影者の画像情報に撮影日情報を付加して管理する撮影画像登録管理装置を備え、この撮影画像登録管理装置は情報処理装置から受信した有効期限情報と当該撮影画像登録管理装置で管理する撮影日情報とを比較し、情報比較結果に基づいて当該撮影画像登録管理装置からカード作成装置への被撮影者の画像情報の配信が可能か否かを判別するものである。
【００２８】
この構成によって、被撮影者の撮影日から当該カード作成要求日に至る期間が有効期限情報に基づく有効期限を越える場合は、撮影画像登録管理装置からカード作成装置への被撮影者の画像情報の配信を拒否することができる。従って、有効期限内の撮影画像を用いたカードを作成できるので、撮影画像が形成されるカードの新規性かつ信頼性を向上させることができる。
【００２９】
本発明に係る第２のカード作成システムによれば、カード作成装置に対して有効期限情報及び被撮影者の個人情報を出力してカード作成を要求するように処理される情報処理装置を備え、この情報処理装置は、有効期限情報を入力し、かつ、撮影画像登録管理装置から被撮影者の撮影日情報を入力し、有効期限情報と被撮影者の撮影日情報とを比較し、当該情報比較結果に基づいてカードが作成可能か否かを判別するものである。
【００３０】
この構成によって、被撮影者の撮影日から当該カード作成要求日に至る期間が有効期限情報に基づく有効期限を越える場合は、撮影画像登録管理装置からカード作成装置への被撮影者の画像情報の配信を拒否することができる。従って、有効期限内の撮影画像を用いたカードを作成できるので、撮影画像が形成されるカードの新規性かつ信頼性を向上させることができる。
【００３１】
本発明に係るカード作成方法によれば、撮影画像を登録する被撮影者を受け付けると共に、当該被撮影者を撮影して画像情報を取得し、ここで取得された被撮影者の画像情報に撮影日情報を付加して登録し、その後、被撮影者からのカード作成要求を受け付けると共に、有効期限情報及び当該被撮影者の個人情報を受け付け、ここで受け付けられた有効期限情報と予め登録された撮影日情報とを比較し、この情報比較結果に基づいてカードを作成するか否かを判別するようになされる。
【００３２】
この構成によって、被撮影者の撮影画像が有効期限を越える場合は、当該カードの作成を拒否することができる。従って、有効期限内の撮影画像を用いたカードを作成できるので、撮影画像が形成されるカードの新規性かつ信頼性を向上させることができる。
【００３３】
しかも、第１及び第２のカード作成システム及び、カード作成方法によれば撮影画像登録管理装置に登録された被撮影者の撮影画像が有効期限内であれば、当該撮影画像を何度も使用して複数種類のカード、例えば、各種試験申し込み時の顔画像入りの申請書類、試験場における受験票、学校等における学生証、パスポート、身分証明書、図書館利用カード等を作成することができる。
【発明を実施するための最良の形態】
【００３４】
以下、図面を参照しながら、この発明の実施例に係るカード作成システム及びカード作成方法について説明をする。
【実施例１】
【００３５】
（１）第１の実施例
図１は、本発明の第１の実施例としてのオンライン受験システム１００の構成例を示す概念図である。
この実施例では、被撮影者の撮影画像に基づいて任意のカードを作成する場合に、被撮影者の画像情報に撮影日情報を付加して管理する撮影画像登録管理装置を備え、情報処理装置から受信した有効期限情報と当該撮影画像登録管理装置で管理する撮影日情報とを比較し、情報比較結果に基づいて当該撮影画像登録管理装置からカード作成装置への被撮影者の画像情報の配信が可能か否かを判別して、被撮影者の撮影画像が有効期限を越える場合は、撮影画像登録管理装置からカード作成装置への被撮影者の画像情報の配信を拒否できるようにすると共に、有効期限内の撮影画像を用いたカードを作成できるようにしたものである。
【００３６】
図１に示すオンライン受験システム１００は、第１のカード作成システムの一例であり、被撮影者であるユーザ５の撮影画像の一例となる撮影顔画像に基づいて任意のカード、例えば、当該システム１００に参加可能なメンバーズカード（Ｍember's  Ｃard）１０を作成するシステムである。このシステム１００は、インターネット２を通じて各種教育を提供するシステムに適用して極めて好適である。オンライン受験システム１００で、受験者であるユーザ５側には情報処理装置４０Ａが準備され、オンライン受験主催者センター１０１にも、情報処理装置４０Ｂが備えられる。これらの情報処理装置４０Ａ、４０Ｂにはデスクトップ型、あるいは、ノート型のパーソナルコンピュータが使用される。
【００３７】
この他、オンライン受験システム１００には、撮影システム１やカード作成システム１０２等が整備される。撮影システム１には図４に示すような撮影装置２０が備えられ、受験者であるユーザ５を撮影して画像情報（以下顔画像データＤfaという）を取得するようになされる。顔画像データＤfaには画像ＩＤ情報が付加される。ユーザ５の撮影に関して、撮影システム１は、個々人の撮影を対象として写真店撮影１Ａや、フォトカプセル撮影１Ｂ等、学校等を対象とした団体撮影１Ｃに対処可能となされている。
【００３８】
カード作成システム１０２に関しては、撮影画像登録管理者側に撮影画像登録管理装置の一例となる顔画像電子情報配信サーバー（以下顔画像サーバー３０という）や管理サーバー３が備えられ、上述した撮影システム１から取得されたユーザ５の顔画像データＤfaに撮影日情報を付加して顔画像サーバー３０に登録したり、管理サーバー３でその顔画像データＤfaを管理するようになされる。この例では、ユーザ（受験者）５毎に画像ＩＤ情報やパスワード等が設定される。以下、顔画像サーバー３０と管理サーバー３とを合わせた情報処理系を撮影画像登録管理系ともいう。
【００３９】
また、カード作成者側にはプリントサーバー６を含むカード作成装置６０（図７参照）が備えられ、顔画像サーバー３０からユーザ５の顔画像データＤfaを取得し、かつ、当該ユーザ５から個人情報を取得して、ユーザ５の顔画像データＤfa及び個人情報に基づく撮影顔画像入りのカードを作成するようになされる。個人情報とは、氏名、住所、生年月日、メンバーズカードの発行年月日及びその有効期限等をいう。個人情報は文字画像としてカード部材に形成されるものである。
【００４０】
上述した撮影システム１における各々の撮影装置、撮影画像登録管理者側の管理サーバー３、オンライン受験主催者センター１０１の情報処理装置４０Ｂとが通信手段を通じて接続される。通信手段にはインターネット２や公衆電話回線が使用される。ユーザ５の情報処理装置４０Ａは管理サーバー３に接続され、撮影画像登録管理者に対して本人の顔画像の確認や、その閲覧、削除、パスワードの変更等の手続処理する際にも使用される。
【００４１】
顔画像サーバー３０、管理サーバー３及びプリントサーバー６は、専用の通信回線４で接続することが好ましい。顔画像サーバー３０に登録されたユーザ５の顔画像データＤfa等をインターネット２や、公衆電話回線に流出するのを防ぐためである。もちろん、この防護措置が施されていれば、顔画像サーバー３０、管理サーバー３及びプリントサーバー６を直接、インターネット２や、公衆電話回線に接続するようにしてもよい。
【００４２】
上述した撮影画像登録管理とカード作成処理とは、撮影画像登録管理者やカード作成者等のように分けることなく、同一の企業体で実施してもよい。また、カード作成システム１０２に撮影システム１を含めてもよく、運用形態は何ら問わない。
【００４３】
この例でユーザ５の情報処理装置４０Ａは、カード作成装置６０に対して有効期限情報及びユーザ５の個人情報を出力してカード作成を要求するように処理される。オンライン受験システム１００のみならず、オンライン学生証発行システムにおける学生証、オンラインビザ発行システムにおけるパスポート、オンライン住民基本台帳サービスシステムにおける身分証明書、オンライン図書館利用サービスシステムにおける図書館利用カード等を作成する場合が想定され、これらに対処するためである。
【００４４】
この例で、オンライン受験主催者センター１０１に対して各種試験に係る受験を申し込む場合は、ユーザ５の情報処理装置４０Ａをインターネット２等を通じてオンライン受験主催者センター１０１の情報処理装置４０Ｂに接続し、同主催者センター１０１の情報処理装置４０Ｂを経由して、カード作成者側にメンバーズカード１０の作成を要求（依頼）するようになされる。カード作成システム１０２で顔画像の登録管理とカード作成処理を代行する形態が採られる。
【００４５】
顔画像サーバー３０は、ユーザ５の情報処理装置４０Ａ又はオンライン受験主催者センター１０１の情報処理装置４０Ｂから受信した有効期限情報と当該顔画像サーバー３０で管理する撮影日情報とを比較し、情報比較結果に基づいて当該顔画像サーバー３０からカード作成装置６０へのユーザ５の顔画像データＤfaの配信が可能か否かを判別するようになされる。
【００４６】
オンライン受験主催者センター１０１では、メンバーズカード発行のサブシステムとして、例えば、次のような処理を実行する。このシステム１００では、ユーザ５の撮影顔画像が顔画像サーバー３０に登録されている場合を前提とするが、Ｓｔｅｐ１でユーザ５の撮影顔画像が顔画像サーバー３０に登録されていない場合は、予め顔画像撮影協力店となっている撮影場所を検索するようになされる。その後、Ｓｔｅｐ２に移行して、オンライン受験主催者センター１０１はユーザ５に対して、顔画像登録後のその撮影顔画像を使用するに際しての許諾を取得（確認）するようになされる。
【００４７】
ユーザ５からの使用許諾が取得されると、Ｓｔｅｐ３でオンライン受験主催者センター１０１は、画像ＩＤ情報や、パスワード等を入力して管理サーバー３にユーザ５の顔画像データＤfaを要求する。撮影画像登録管理者側では、顔画像サーバー３０から管理サーバー３を通じて情報処理装置４０Ａあるいは、４０Ｂにそのユーザ５の顔画像をサムネイル表示する。その後、Ｓｔｅｐ４でユーザ５から個人情報を入力し、管理サーバー３を通じてカード作成装置６０に対してカードプリント注文をし、その進捗状況（注文ステータス状況）を確認するようになされる。
【００４８】
プリントサーバー６は顔画像サーバー３０からそのユーザ５の顔画像データＤfaを取得し、かつ、管理サーバー３から当該ユーザ５から個人情報を取得する。カード作成装置６０は、プリントサーバー６から、そのユーザ５の顔画像データＤfa及び個人情報を入力し、これらの情報に基づく顔画像入りのメンバーズカード１０を作成するようになされる。
【００４９】
図２はオンライン受験システム１００における情報処理例を示す概念図であり、ユーザの顔画像撮影処理から、そのメンバーズカード１０の発行処理に至る過程を模式化した図である。図２に示すオンライン受験システム１００においては、「オンライン受験主催者センター」や、その他、図示しない「○○Ｂセンター」、「○○Ｃセンター」が設立され、各々のセンター毎に、図１に示したオンライン受験システム等が構築される。
【００５０】
例えば、図２に示すユーザ５がオンライン受験システム１００に参加する場合、そのユーザ５の撮影顔画像に基づいてメンバーズカード１０を作成する場合を前提とする。このとき、そのユーザ５の顔画像データＤfaが図１に示した顔画像サーバー３０に登録されていない場合を例に挙げる。
【００５１】
まず、そのユーザ５は行程＃１でいわゆるインターネット２を利用して、当該オンライン受験システム１００に参加するためのメンバーズカード１０の申し込みをする。オンライン受験主催者センター１００’では、ユーザ５からのカード作成要求を受け付けると共に、有効期限情報及び当該ユーザ５の個人情報を受け付ける。このユーザ５は、顔画像データＤfaを顔画像サーバー３０に登録していないので、カード申し込みに合わせて、予め顔画像撮影協力店等となっている撮影場所を検索するようになされる。このとき、オンライン受験主催者センター１０１で準備されているオンライン受験主催者センターＷＥＢサイトＷ１を立ち上げる。
【００５２】
このオンライン受験主催者センターＷＥＢサイトＷ１には、「・ログイン  ・撮影場所検索  ・画像確認、個人情報入力、カード発行」等の選択項目が準備される。ここでカード作成システム１０２にログインすると、顔画像サーバーＷＥＢサイトＷ２１が立ち上げられる。そして、「撮影場所検索」の選択項目をクリックすると、顔画像サーバーＷＥＢサイトＷ２２が立ち上がり、そのサイトＷ２２には、全国を示す日本地図と共に、図示しない写真店や、フォトカプセル、団体撮影等の撮影システム１の場所が表示される。顔画像サーバーＷＥＢサイトはカード作成システム１０２が提供する。
【００５３】
顔画像サーバーＷＥＢサイトＷ２１には、ＩＤカード申し込みに関して「オンライン受験主催者センター」や、「○○Ｂセンター」、「○○Ｃセンター」等がリンク付けられている。この他に、「・撮影場所検索  ・画像確認」等の選択項目に対する撮影場所検索情報や、画像確認プログラムが準備されている。オンライン受験主催者センターＷＥＢサイトＷ１で「画像確認」の選択項目をクリックすると、顔画像サーバーＷＥＢサイトＷ２３では、そのユーザ５の顔画像が画面に表示される。この顔画像画面の下方には、「パスワード変更  使用／削除」等の選択項目が表示される。
【００５４】
このような顔画像サーバーＷＥＢサイトＷ２２で、撮影システム１の場所を確認したユーザ５は、行程＃２で例えばフォトカプセル撮影１Ｂを試みるために図示しないフォトカプセルに出向く。フォトカプセルでは、撮影顔画像の登録を希望するユーザ５を撮影して顔画像データＤfaを取得するようになされる。この時点で、顔画像データＤfaに撮影日情報を付加してもよい。また、ユーザ５は、フォトカプセルで撮影された自分の顔画像を行程＃３で確認したり、その撮影装置の操作手段を利用してパスワードの変更や、旧パスワードの削除手続が可能となされる。
【００５５】
フォトカプセルで取得されたユーザ５の顔画像データＤfaはＵＲＬ（Ｕniform  Ｒesource  Ｌocator）表記してカード作成システム１０２に転送される。写真店で撮影した顔画像データＤfaはＭＯ（Ｍagneto−Ｏptical  disk；光磁気ディスク）等の情報記録媒体に格納してカード作成システム１０２に搬送する場合もある。学校等における団体撮影の場合は、撮影カードを学生に配布して顔画像を撮影するようになされる。
【００５６】
このカード作成システム１０２では、撮影顔画像の登録を希望するユーザ５を受け付けて画像処理をする。例えば、先の撮影システム１で取得されたユーザ５の顔画像データＤfaに撮影日情報を付加して顔画像サーバー３０に登録するようになされる。カード作成システム１０２では、オンライン受験主催者センター１００’で受け付けられた有効期限情報と予め登録された撮影日情報とを比較する。ユーザ５の撮影顔画像が有効期限を越える場合は、顔画像サーバー３０からカード作成装置６０への顔画像データＤfaの配信を拒否するようになされる。この例で図１に示したプリントサーバー６では、情報比較結果に基づいてメンバーズカード１０を作成するか否かが判別される。
【００５７】
この例では、ユーザ５の撮影顔画像が有効期限内であるので、顔画像サーバー３０から、図示しないカード作成装置６０への顔画像データＤfaの配信を許可するようになされる。カード作成装置６０では、判別結果「ＯＫ」を受信し、これに基づいてユーザ５の顔画像データＤfa及び個人情報に基づく顔画像入りのメンバーズカード１０を作成するようになされる。メンバーズカード１０は、カード作成システム１０２から、当該オンライン受験システム１００に参加を希望するユーザ５毎に、行程＃４で郵送や宅配便等により配達される。
【００５８】
図３はオンライン受験システム１００等で作成されるメンバーズカード１０の構成例を示す平面図である。図３に示すメンバーズカード１０は、例えば、縦の長さが７ｃｍ程度で、横の長さが１０ｃｍ程度で、厚みが０．５〜１．０ｍｍ程度のカード部材１１から構成されている。そのメンバーズカード１０の所定領域ａ１には文字情報が印刷される。文字情報は、例えば「ＭＥＭＢＥＲ’Ｓ  ＣＡＲＤ」、「氏名」、「生年月日」、「会員番号」、「発行年月日」、「有効期限」・・・などである。
【００５９】
このメンバーズカード１０には顔画像形成領域ａ２が割り当てられ、顔画像サーバー３０に登録されたユーザ５の顔画像が形成される。この顔画像及び文字情報を保護するように、そのカード表面が保護シート１２によって覆うようになされる。ユーザ５は、メンバーズカード１０を持参することで、当該オンライン受験システム１００に参加することができる。カード形式は電子式、磁気式、非電子式等を問わない。
【００６０】
図４は撮影装置２０の内部構成例を示すブロック図である。図４に示す撮影装置２０は、撮影システム１に装備され、例えば、カメラ２１、モニタ２２、ハードディスク２３、操作手段２４、制御装置２５、外部インターフェース２６及び、通信モデム２７を有している。カメラ２１は、被撮影者であるユーザ５を撮影してデジタルの顔画像データＤfa（撮影情報）を出力するようになされる。カメラ２１にはデジタルカメラ２１が使用される。顔画像データＤfaは顔画像サーバー３０に登録するために取得される。
【００６１】
モニタ２２には被撮影者であるユーザ５を撮影して得た上半身を含む顔画像が表示される。顔画像は制御装置２５で画像処理された後の表示データＤ１２に基づいて表示される。顔画像サーバー３０に登録するための顔画像は、被撮影者であるユーザ５に確認してもらうようになされる。モニタ２２には液晶表示ディスプレイや、ＣＲＴ（陰極線管）が使用される。
【００６２】
ハードディスク（以下ＨＤＤという）２３には、顔画像データＤfaが一時格納される。顔画像データＤfaは、顔画像サーバー３０に登録するまでＨＤＤ２３で保持しておくことが好ましい。操作手段２４は、顔画像データＤfaを特定するための画像ＩＤ情報や、ユーザ５のパスワードを入力するように操作される。操作手段２４にはキーボードやマウスが使用される。この操作手段２４を使用して撮影日情報を入力してもよい。画像ＩＤ情報や、パスワード及び撮影日情報は、操作データＤ１３として制御装置２５に出力される。
【００６３】
制御装置２５はカメラ２１、モニタ２２、ＨＤＤ２３、操作手段２４、外部インターフェース２６及び、通信モデム２７の入出力を制御する。制御装置２５は、例えば、ＲＯＭ（Read Only Memory）５１、ＲＡＭ（Random Access Memory）５２、ＣＰＵ（Central Processing Unit；中央処理ユニット）５３を有している。
【００６４】
ＲＯＭ５１には当該撮影装置２０全体を制御するためのシステムプログラムデータが格納される。ＲＡＭ５２はワークメモリとして使用され、例えば、制御コマンド等を一時記憶するようになされる。ＣＰＵ５３は電源がオンされると、ＲＯＭ５１からシステムプログラムデータを読み出してシステムを起動し、操作手段２４からの操作データＤ１３に基づいて当該撮影装置全体を制御するようになされる。
【００６５】
外部インターフェース２６は、パーソナルコンピュータ等の外部装置からのデータＤinを入力したり、外部装置へデータＤoutを出力する場合に使用される。外部インターフェース２６には、ＣＤ−ＲＯＭドライバや、ＤＶＤドライバが含まれる。これらのドライバにＭＯを装着して顔画像データＤfaを記録するようになされる。通信モデム２７は、カード作成システム１０２等と通信処理する際に使用される。通信モデム２７にはＡＤＳＬ等の高速通信モデムが使用される。
【００６６】
図５は顔画像サーバー３０の内部構成例を示すブロック図である。図５に示す顔画像サーバー３０は、カード作成システム１０２に装備され、例えば、情報処理手段３１、モニタ３２、ハードディスク３３、操作手段３４、制御装置３５、外部インターフェース３６及び、通信モデム３７を有している。
【００６７】
情報処理手段３１は、撮影システム１から受信した顔画像データＤfaに、撮影日情報を付加したり、登録日情報を付加する処理をするようになされる。情報処理手段３１にはパソコン機能が使用される。情報処理手段３１は、所定のアプリケーションに基づいて当該顔画像サーバーＷＥＢサイトＷ２１〜Ｗ２３を立ち上げる処理がなされる。
【００６８】
例えば、顔画像サーバーＷＥＢサイトＷ２２を立ち上げて、全国を示す日本地図と共に、図示しない写真店や、フォトカプセル、団体撮影等の撮影システム１の場所を表示するように処理される。また、顔画像サーバーＷＥＢサイトＷ２３を立ち上げて、その被撮影者であるユーザ５の顔画像を画面に表示する。この顔画像画面の下方には、「パスワード変更  使用／削除」等の選択項目も併せて表示される。
【００６９】
モニタ３２は、撮影画像登録管理者側でユーザ５の顔画像を確認するために設けているが、撮影画像登録管理システムの無人化を図る場合は、モニタ３２を省略してもよい。顔画像は制御装置３５で画像処理された後の表示データＤ２２に基づいて表示される。モニタ３２には液晶表示ディスプレイや、ＣＲＴ（陰極線管）が使用される。
【００７０】
ハードディスク（以下ＨＤＤという）３３はデータベースを構成し、ユーザ５の顔画像データＤfa及び、撮影日情報や、登録年月日情報等を付加して登録される。顔画像データＤfaは、ＨＤＤ３３に登録する際にバックアップを取ることが好ましい。貴重な顔画像データＤfaを紛失しないようにするためである。
【００７１】
操作手段３４は、顔画像データＤfaを特定するための撮影日情報や、登録年月日情報を入力するように操作される。操作手段３４にはキーボードやマウスが使用される。撮影画像登録管理システムの無人化を図る場合は、操作手段３４を省略してもよい。その場合には、操作手段３４に代わる、撮影日情報自動挿入装置や、登録年月日挿入装置を設けるようになされる。撮影日情報や登録年月日は、操作データＤ２３として制御装置３５に出力される。
【００７２】
制御装置３５は情報処理手段３１、モニタ３２、ＨＤＤ３３、操作手段３４、外部インターフェース３６及び、通信モデム３７の入出力を制御する。制御装置３５は、例えば、ＲＯＭ５１、ＲＡＭ５３、ＣＰＵ５３を有している。ＲＯＭ５１には当該顔画像サーバー全体を制御するためのシステムプログラムデータが格納される。ＲＡＭ５２はワークメモリとして使用され、例えば、制御コマンド等を一時記憶するようになされる。ＣＰＵ５３は電源がオンされると、ＲＯＭ５１からシステムプログラムデータを読み出してシステムを起動し、操作手段３４からの操作データＤ２３に基づいて当該顔画像サーバー全体を制御するようになされる。制御装置３５は有効期限を判別するために時刻管理をするようになされる。
【００７３】
外部インターフェース３６は、パーソナルコンピュータ等の外部装置からのデータＤinを入力したり、外部装置へデータＤoutを出力する場合に使用される。外部インターフェース３６には、ＣＤ−ＲＯＭドライバや、ＤＶＤドライバが含まれる。これらのドライバにＭＯを装着して顔画像データＤfaを読み出すようになされる。通信モデム３７は、専用の通信回線４に接続され、管理サーバー３を通じて撮影システム１や、オンライン受験主催者センター１０１等と通信処理する際に使用される。通信回線４は、管理サーバー３及び、プリントサーバー６に接続される。通信モデム３７には所定の通信プロトコルの高速通信モデムが使用される。
【００７４】
図６は情報処理装置４０Ｂの内部構成例を示すブロック図である。この例では、オンライン受験主催者センター１０１に装備される情報処理装置４０Ｂについて説明をする。なお、情報処理装置４０Ａは、ユーザ５が通常所持するノート型のパソコンや、デスクトップ型のパソコンが使用される。
【００７５】
図６に示す情報処理装置４０Ｂは、例えば、情報処理手段４１、モニタ４２、ハードディスク４３、操作手段４４、制御装置４５、外部インターフェース４６及び、通信モデム４７を有している。
【００７６】
情報処理手段４１は、通常のパソコン機能を有しているが、この例では、メンバーズカード発行のサブシステムとして機能する。例えば、ユーザ５から当該システム１００への参加申し込みが有った場合に、所定のアプリケーションに基づいて図２に示したようなオンライン受験主催者センターのＷＥＢサイトＷ１を立ち上げる処理がなされる。このＷＥＢサイトＷ１を立ち上げた後であって、ユーザ５の撮影顔画像が顔画像サーバー３０に登録されていない場合に、予め顔画像撮影協力店となっている撮影場所を検索可能なＷＥＢ画面を提供するようになされる。
【００７７】
また、情報処理手段４１は、ユーザ５に対して、顔画像登録後のその撮影顔画像を使用するに際しての許諾を取得（確認）するようになされる。ユーザ５からの使用許諾が取得されると、情報処理手段４１は、画像ＩＤ情報や、パスワード等を入力する。そして、情報処理手段４１は、カード作成システム１０２に装備された管理サーバー３にユーザ５の顔画像データＤfaを要求する。
【００７８】
情報処理手段４１は、顔画像サーバー３０から管理サーバー３を通じてそのユーザ５の情報処理装置４０Ａに顔画像をサムネイル表示する。そして、情報処理手段４１はユーザ５から個人情報Ｄ１を入力し、管理サーバー３を通じてカード作成装置６０に対してカードプリント注文をしたり、その進捗状況（注文ステータス状況）を確認するように動作する。
【００７９】
モニタ４２は、オンライン試験受験センター側で受験者であるユーザ５の顔画像を確認するために設けられる。顔画像は制御装置４５で画像処理された後の表示データＤ３２に基づいて表示される。モニタ４２には液晶表示ディスプレイや、ＣＲＴ（陰極線管）が使用される。ＨＤＤ４３はデータベースを構成し、ユーザ５の個人情報Ｄ１や、メンバーズカード１０の発行年月日、有効期限等を管理するようにされる。
【００８０】
操作手段４４は、ユーザ５の個人情報Ｄ１や、メンバーズカード１０の発行年月日、有効期限等を入力するように操作される。操作手段４４にはキーボードやマウスが使用される。ユーザ５の個人情報Ｄ１や、メンバーズカード１０の発行年月日、有効期限等は、操作データＤ３３として制御装置４５を通じてＨＤＤ４３に出力される。
【００８１】
制御装置４５は情報処理手段４１、モニタ４２、ＨＤＤ４３、操作手段４４、外部インターフェース４６及び、通信モデム４７の入出力を制御する。制御装置４５は、例えば、ＲＯＭ５１、ＲＡＭ５４、ＣＰＵ５４を有している。ＲＯＭ５１には当該情報処理装置全体を制御するためのシステムプログラムデータが格納される。ＲＡＭ５２はワークメモリとして使用され、例えば、制御コマンド等を一時記憶するようになされる。ＣＰＵ５４は電源がオンされると、ＲＯＭ５１からシステムプログラムデータを読み出してシステムを起動し、操作手段４４からの操作データＤ３３に基づいて当該情報処理装置全体を制御するようになされる。制御装置４５は当該メンバーズカード１０の有効期限を判別するために時刻管理をするようになされる。
【００８２】
外部インターフェース４６は、上位のパソコン等からデータＤinを入力したり、そのパソコンへデータＤoutを出力する場合に使用される。通信モデム４７は、個々のユーザ５の情報処理装置４０Ａや、カード作成システム１０２の管理サーバー３等と通信処理する際に使用される。通信モデム４７にはＡＤＳＬ等の高速通信モデムが使用される。
【００８３】
図７はカード作成装置６０の内部構成例を示すブロック図である。図７に示すカード作成装置６０は、カード作成システム１０２に装備され、例えば、画像形成手段６１、モニタ６２、ハードディスク６３、操作手段６４、制御装置６５、外部インターフェース６６及び、通信モデム６７を有している。
【００８４】
画像形成手段６１は、ユーザ５のデジタルの顔画像データＤfa（撮影情報）及び、個人情報Ｄ１等に基づいて図３に示したようなメンバーズカード１０を形成するようになされる。メンバーズカード１０を形成するためのデータには、個人情報Ｄ１の他に発行年月日や、有効期限等の文字情報が含まれる。画像形成手段６１には、例えば、電子写真方式のデジタルのカラー画像形成装置が使用される。詳しくは、特開２００３−５８６５６号公報に記載される「ＩＤカード発行更新システム」で使用する従業者証プリンタが利用できる。なお、個人情報Ｄ１はメンバーズカード形成後に消去するように取り扱われる。これは個人情報Ｄ１の流出を阻止するためである。
【００８５】
モニタ６２にはメンバーズカード形成後の完成予想画面等が表示される。カード作成者側で完成後のメンバーズカード１０を事前に確認するためである。メンバーズカード形成後の完成予想画面は、制御装置６５で画像処理された後の表示データＤ１２に基づいて表示される。メンバーズカード形成後の完成予想画面は、顔画像サーバー３０に登録された顔画像を所定のカード部材１１に当てはめたものである。このメンバーズカード形成後の完成予想画面は、被撮影者であるユーザ５に確認してもらうようになされる。モニタ６２には液晶表示ディスプレイや、ＣＲＴ（陰極線管）が使用される。
【００８６】
ＨＤＤ６３はプリントサーバー６を構成し、顔画像データＤfa＋個人情報Ｄ１が一時格納される。操作手段６４は、メンバーズカード１０を形成する際の画像形成条件等を入力するように操作される。例えば、顔画像の色調等が調整される。操作手段６４にはキーボードやマウスが使用される。
【００８７】
制御装置６５は画像形成手段６１、モニタ６２、ＨＤＤ６３、操作手段６４、外部インターフェース６６及び、通信モデム６７の入出力を制御する。制御装置６５は、例えば、ＲＯＭ５１、ＲＡＭ５２、ＣＰＵ５３を有している。ＲＯＭ５１には当該カード作成装置全体を制御するためのシステムプログラムデータが格納される。ＲＡＭ５２はワークメモリとして使用され、例えば、制御コマンド等を一時記憶するようになされる。ＣＰＵ５３は電源がオンされると、ＲＯＭ５１からシステムプログラムデータを読み出してシステムを起動し、操作手段６４からの操作データＤ４３に基づいて当該カード作成装置全体を制御するようになされる。
【００８８】
外部インターフェース６６は、パソコン等の外部装置からのデータＤinを入力したり、外部装置へデータＤoutを出力する場合に使用される。外部インターフェース６６には、ＣＤ−ＲＯＭドライバや、ＤＶＤドライバが含まれる。通信モデム６７は、カード作成システム１０２内で、専用の通信回線４に接続され、管理サーバー３を通じて撮影システム１や、オンライン受験主催者センター１０１等と通信処理する際に使用される。通信回線４は、管理サーバー３に接続される。通信モデム３７には所定の通信プロトコルの高速通信モデムが使用される。
【００８９】
続いて、当該オンライン受験システム１００における情報処理装置４０Ａにおける処理例について説明をする。図８Ａ〜Ｃ、図９Ａ及びＢは、無料登録・ログイン時の画面表示遷移例（その１、２）を示す図である。これらの画面は、図１に示した情報処理装置４０Ａで図２に示したようなオンライン受験主催者センターＷＥＢサイトＷ１を立ち上げることで、そのモニタ４２に表示される。
【００９０】
図８Ａに示すメニュー（ログイン前）画面Ｐ０１には、オープンメニューが表示される。このオープンメニューは、会員登録しなくても情報の閲覧は可能となされている。メニュー画面Ｐ０１には、「オープンメニュー」の文字情報の他に、「オンライン試験」、「セミナー」、「ｅ−ラーニング」、「各種情報」等の選択項目キーＫ１〜Ｋ４が表示される。「オンライン試験」の選択項目キーＫ１をクリックすると、図１６に示す非会員直接参入時のオンライン試験申し込み画面Ｐ４に遷移するようになされる。
【００９１】
これらの選択項目の下方には、「本サイトのサービスを利用するには、事前に登録（無料）が必要です。是非、登録をお願いします。」のメッセージが表示される。このメッセージの下方には、「ＩＤ／ＰＷ（パスワード）をお持ちの方  初めての方」等のガイド文字情報が表示される。「ＩＤ／ＰＷ（パスワード）をお持ちの方」の下方にはＩＤを記述する欄及び、ＰＷを記述する欄が表示される。ここで、ユーザ５は、情報処理装置４０Ａのキーボードやマウスを使用してＩＤとして例えば、「ｋｏｎｉ−ｍｉｎｏ」や、ＰＷとして「＊＊＊＊＊＊」を入力する。
【００９２】
この欄の下方には「ログイン」のアイコンＫ８が表示される。この表示領域の右側には、「初めての方」のメッセージの他に、このメッセージの下方には「登録」のアイコンＫ７が表示される。ここで「登録」アイコンＫ７をクリックすると、メニュー画面Ｐ０１が図８Ｂに示す新規会員登録画面Ｐ０２へ遷移するようになされる。
【００９３】
この新規会員登録画面Ｐ０２には、ユーザＩＤを記述する欄Ｗ１及び、パスワード（ＰＷ）を記述する欄Ｗ２、ＰＷを確認する欄Ｗ３、姓（漢字）を記述する欄Ｗ４、及び、名（漢字）を記述する欄Ｗ５が表示される。ユーザが新規会員に登録する場合は、情報処理装置４０Ａのキーボードやマウスを使用して、欄Ｗ１にユーザＩＤ、例えば、「ｋｏｎｉ−ｍｉｎｏ」を記述し、欄Ｗ２にパスワード「＊＊＊＊＊＊＊」を記述し、欄Ｗ３でＰＷを確認する。欄Ｗ４にユーザの姓○○を記述し、欄Ｗ５に名××を記述する。なお、新規会員登録画面Ｐ０２では、顔画像の登録はなされない。
【００９４】
これらの内容を記述したら、この画面Ｐ０２の下方に設けられた「登録」のアイコンＫ９をクリックする。このアイコンＫ９のクリックによって、図８Ｃに示す確認画面Ｐ０３が例えば、ポップアップ表示される。この確認画面Ｐ０３には、「登録内容確認」のメッセージと共に「ＯＫ」アイコンＫ１０が表示される。ここで「ＯＫ」アイコンＫ１０をクリックすると、新規会員登録画面Ｐ０２が図９Ａに示す登録完了画面Ｐ０４へ遷移するようになされる。
【００９５】
登録完了画面Ｐ０４には、「ご登録有難うございました」のメッセージが表示されると共に、「有料会員に登録してメンバーズカードを取得（発行）すると、様々なサービスがご利用できるようになります。」等のメッセージが表示される。なお、無料登録会員にはメンバーズカードは発行されない。このメッセージの下方には、表示色を変えて、「→  有料会員登録について」のメッセージが表示される。
【００９６】
このメッセージの下方には、「メンバーズカード発行」の選択項目キーＫ１１及び、更にその下方に「メニュー」の選択項目キーＫ１２が表示される。ここで、ユーザ５は、選択項目キーＫ１１をクリックすると、登録完了画面Ｐ０４が図１０Ａに示す有料会員登録画面Ｐ１へ遷移するようになされる。
【００９７】
なお、選択項目キーＫ１１をクリックすることなく、選択項目キーＫ１２をクリックした場合、及び、図８Ａに示した「ログイン」のアイコンＫ７をクリックした場合は、図９Ｂに示すメニュー（無料会員ログイン後）画面Ｐ０５に遷移するようになされる。メニュー画面Ｐ０５には、「ようこそ○○さん」のメッセージが表示されると共に、「オンライン試験」、「セミナー」、「ｅ−ラーニング」、「各種情報」の選択項目キーＫ１〜Ｋ４に加えて「マイページ」及び、「その他のサービス」等の選択項目キーＫ５，Ｋ６が追加表示される。
【００９８】
例えば、「オンライン試験」の選択項目キーＫ１をクリックすると、メニュー画面Ｐ０５が図１５に示す無料会員ログイン後のオンライン試験申し込み画面Ｐ３へ遷移するようになされる。また、「ｅ−ラーニング」の選択項目キーＫ３をクリックすると、メニュー画面Ｐ０５が図１９に示すｅ−ラーニング申込み画面Ｐ５へ遷移するようになされる。
【００９９】
これらの選択項目キーＫ１〜Ｋ６の下方には、「オンライン試験申し込みや、セミナー受講など、有料会員向けサービスをご利用になるためには、事前に登録（有料）し、メンバーズカードを取得（発行）する必要があります。」のメッセージが表示される。このメッセージの下方には、表示色を変えて、「→  有料会員登録について」のメッセージが表示される。
【０１００】
このメッセージの下方には、「メンバーズカード発行」の選択項目キーＫ１１が表示される。ここで、ユーザ５は、選択項目キーＫ１１をクリックすると、メニュー画面Ｐ０５が図１０に示す有料会員登録画面Ｐ１へ遷移するようになされる。
【０１０１】
図１０Ａ〜Ｃ、図１１Ａ〜Ｃ及び、図１２Ａ〜Ｃは、有料会員登録時の画面表示遷移例（その１〜３）を示す図である。これらの画面は、図１に示した情報処理装置４０Ａで図２に示したようなオンライン受験主催者センターＷＥＢサイトＷ１を立ち上げることで、そのモニタ４２に表示される。
【０１０２】
図１０Ａに示す有料会員登録画面Ｐ１は、図９Ａに示した登録完了画面Ｐ０４又は、メニュー画面Ｐ０５において、「メンバーズカード発行」の選択項目キーＫ１１をクリックすることによって、情報処理装置４０Ａ等のモニタ４２に表示される。
【０１０３】
この有料会員登録画面Ｐ１には、「有料会員に登録すると顔画像（顔写真）入りのメンバーズカードが発行され、オンライン試験申し込み、セミナー申し込み、コンテンツの割引きなど、さまざまな付加サービスを受けることができます。有料会員に登録する際には、事前に顔画像データの取得が必要になります。また、メンバーズカードの発行には費用がかかります。・・・・・・」のメッセージが表示される。
【０１０４】
このメッセージの下方には、表示色を変えて、「→  顔画像データについて」のメッセージが表示されると共に、そのメッセージの下方には、「ＯＫ」のアイコンＫ１３が表示される。ここで、ユーザ５は、顔画像データの取得に同意して、この「ＯＫ」アイコンＫ１３をクリックすると、有料会員登録画面Ｐ１が図１０Ｂに示す個人情報呼出し確認画面Ｐ１１へ遷移するようになされる。
【０１０５】
個人情報呼出し確認画面Ｐ１１には、「個人情報呼び出し、確認画面」の文字情報が表示されると共に、ログイン情報（個人情報）が表示される。個人情報呼出し確認画面Ｐ１１では、予め表示されたログイン情報の内容に変更があればそれを修正するようになされる。ログイン情報の表示内容についてはその説明を省略する。このログイン情報の表示領域の下方には、「修正」のアイコンＫ１４及び、「次へ」のアイコンＫ１５が表示される。ここで、ログイン情報内容に変更が無く、ユーザ５が「次へ」のアイコンＫ１５をクリックすると、個人情報呼出し確認画面Ｐ１１が図１０Ｃに示すカードタイプ選択画面Ｐ１２へ遷移するようになされる。
【０１０６】
カードタイプ選択画面Ｐ１２には、「カードタイプ選択」の文字情報が表示されると共に、例えば、色分けした４つのカードタイプ見本が表示される。この例でカードタイプＩはクリーム色、カードタイプIIは若草色、カードタイプIIIは水色、カードタイプIVは藤色である。これはユーザ５の好みの色でメンバーズカード１０を作成するために準備される。ユーザ５は好みの色のカードタイプ見本を選択するようになされる。
【０１０７】
これらカードタイプ見本の表示領域の下方には、「ＯＫ」のアイコンＫ１６が表示される。ここで、ユーザ５は、カードタイプ見本を選択し、この例では、若草色のカードタイプIIが選択（画面中○にドットで表示）して「ＯＫ」アイコンＫ１６をクリックすると、カードタイプ選択画面Ｐ１２が図１１Ａに示す顔画像データロード画面Ｐ１３へ遷移するようになされる。
【０１０８】
顔画像データロード画面Ｐ１３には、「顔画像データロード」の文字情報と共に、「顔画像登録時に発行された画像ＩＤとパスワード（ＰＷ）を入力して下さい。顔画像が無いとメンバーズカードは発行できません。」のメッセージが表示される。このメッセージの表示領域の下方には、画像ＩＤ番号を記述する欄Ｗ６及び、画像パスワードを記述する欄Ｗ７が表示される。この欄の表示領域の下方には、「次へ」のアイコンＫ１７が表示される。ここで、ユーザ５は欄Ｗ６に画像ＩＤ番号、例えば、「０１２１３４」を記述し、欄Ｗ７に画像パスワード「＊＊＊＊＊＊」を記述した後に、「次へ」のアイコンＫ１７をクリックすると、顔画像データロード画面Ｐ１３が図１１Ｂに示す顔画像確認画面Ｐ１４へ遷移するようになされる。
【０１０９】
顔画像確認画面Ｐ１４には「顔画像確認」の文字情報と共に、ユーザ５の顔画像を抽出したサムネイル画像Ｐfaが表示される。このサムネイル画像Ｐfaに関しては、オンライン受験主催者センター１０１の情報処理装置４０Ｂからカード作成システム１０２の管理サーバー３へ有効期限情報、画像ＩＤ番号、画像パスワードを送信し、顔画像サーバー３０からユーザ５の顔画像データＤfaを取得したものである。
【０１１０】
顔画像サーバー３０では、情報処理装置４０Ｂから受信した有効期限情報と当該顔画像サーバー３０で管理する撮影日情報とを比較し、情報比較結果に基づいて当該顔画像サーバー３０からカード作成装置６０へのユーザ５の顔画像データＤfaの配信が可能か否かを判別するようになされる。従って、この時点で、既に、顔画像データＤfaの有効期限が徒過していると、サムネイル画像は得られないようになる。再度、顔画像登録をしてもらうようになされる。
【０１１１】
この顔画像確認画面Ｐ１４でサムネイル画像Ｐfaの表示領域の下方には、「次へ」のアイコンＫ１７が表示される。ここで、ユーザ５はサムネイル画像Ｐfaを確認し同意する場合は、「次へ」のアイコンＫ１７をクリックする。このアイコンＫ１７のクリックによって、顔画像確認画面Ｐ１４が図１１Ｃに示すカードサンプル表示画面Ｐ１５へ遷移するようになされる。
【０１１２】
カードサンプル表示画面Ｐ１５には、「カードサンプル表示」の文字情報と共に、メンバーズカードの完成イメージがサンプル表示される。カードサンプル表示画面Ｐ１５に表示されるメンバーズカード１０’には、「有料会員メンバーズカード」の文字情報の他に、氏名「コニキミノル」、ＩＤ番号「００１１」・・・・などが記述される（図３参照）。
【０１１３】
メンバーズカード１０’の表示領域の下方には、「次へ」のアイコンＫ１８が表示される。ここで、ユーザ５はメンバーズカード１０’の完成イメージを確認し同意する場合は、「次へ」のアイコンＫ１８をクリックする。このアイコンＫ１８のクリックによって、カードサンプル表示画面Ｐ１５が図１２Ａに示す決済・課金システム画面Ｐ１６へ遷移するようになされる。
【０１１４】
この決済・課金システム画面Ｐ１６には「決済・課金システム」の文字情報が表示されると共に、例えば、決済・課金処理の流れを示すフローチャートが表示される。この例でステップＳＴ１で課金方法を選択し、ステップＳＴ２で必要事項が入力され、ステップＳＴ３で認証を受け、ステップＳＴ４で決済確認がなされる。このフローチャートの表示領域の下方には、「ＯＫ」のアイコンＫ２０が表示される。ここで、ユーザ５はこれらの一連の決済・課金処理を確認し同意する場合は、「ＯＫ」のアイコンＫ２０をクリックする。
【０１１５】
このアイコンＫ２０のクリックによって、例えば、決済・課金システム画面Ｐ１６上に図１２Ｂに示す決済完了画面Ｐ１７がポップアップ表示するようになされる。決済完了画面Ｐ１７には、「発行内容確認」の文字情報が表示されると共に、「次へ」のアイコンＫ２１が表示される。ここで、ユーザ５は発行内容を確認し決済に同意する場合は、「次へ」のアイコンＫ２１をクリックする。このアイコンＫ２１のクリックによって、決済完了画面Ｐ１７が図１２Ｃに示す確認画面Ｐ１８へ遷移するようになされる。
【０１１６】
確認画面Ｐ１８には再度、「発行内容確認」の文字情報が表示されると共に、「次へ」のアイコンＫ２２が表示される。ここで、ユーザ５は発行内容を確認し決済に同意する場合は、「次へ」のアイコンＫ２２をクリックする。このアイコンＫ２２のクリックによって、確認画面Ｐ１８が図１２Ｄに示す有料会員ログイン後のメニュー画面Ｐ１９へ遷移するようになされる。
【０１１７】
メニュー画面Ｐ１９には、「ようこそ○○さん」のメッセージが表示されると共に、「オンライン試験」、「セミナー」、「ｅ−ラーニング」、「各種情報」、「マイページ」及び、「その他のサービス」等の選択項目キーＫ１〜Ｋ６に加えて「有料会員向けサービス」の選択項目キーＫ７が追加表示される。メニュー画面Ｐ１９で、図９Ｂに示したメニュー（無料会員ログイン後）画面Ｐ０５と異なるのは、「有料会員向けサービス」の選択項目キーＫ７が追加された点である。有料会員向けサービスに関しては、例えば、オンライン試験に合格した場合に、顔画像入りの合格証書が授与される。資格所有者に対してその認証等が受けられる等である。
【０１１８】
このメニュー画面Ｐ１９で、例えば、「オンライン試験」の選択項目キーＫ１をクリックすると、メニュー画面Ｐ１９が図１３Ａに示す有料会員ログイン後のオンライン試験申込み画面Ｐ３へ遷移するようになされる。
【０１１９】
図１３Ａ〜Ｃ及び、図１４Ａ〜Ｃは有料会員ログイン後のオンライン試験申込み画面Ｐ２の表示遷移例（その１、２）を示す図である。
【０１２０】
図１３Ａに示すオンライン試験申込み画面Ｐ２は、図１に示した情報処理装置４０Ａのモニタ４２において、図１２Ｄに示したメニュー画面Ｐ１９の中の「オンライン試験」の選択項目キーＫ１をクリックすることにより表示される。オンライン試験申込み画面Ｐ２には、オンライン試験の種類として、例えば、「ビジネスキーボード検定試験」、「一般キーボード検定」、「ｅ−メール検定」、「その他の試験」等の選択項目キーＫ２４〜Ｋ２６が表示される。
【０１２１】
ここで、ユーザ５が「ビジネスキーボード検定試験」を受験するべく、選択項目キーＫ２４をクリックすると、オンライン試験申込み画面Ｐ３が図１３Ｂに示す会場・日程検索画面Ｐ２１へ遷移する。会場・日程検索画面Ｐ２１には、「ビジネスキーボード検定試験」の選択項目キーＫ２４の他に、試験会場「東京」や「東京商工会議所」等、また、オンライン試験の日程等が表示される。会場を示す名称のウインドウの右側に設けている下向き矢印は、スクロールキーＫ２４１、Ｋ２４２である。ユーザ５はスクロールキーＫ２４１、Ｋ２４２を押下することで、試験日や、試験会場を選択できるようになされる。
【０１２２】
この会場表示領域の下方には、日程表示欄Ｗ８が表示される。日程表示欄Ｗ８は、例えば、一覧表に編集される。日程表示欄Ｗ８には、日付、会場及び空き状況などが表示される。この例で日付欄には３月２日（３／２）が表示され、その日付に対して会場欄には「東京商工会議所」が表示され、空き状況欄には、「満席」が表示される。また、３月３日に対して会場欄には「東京商工会議所」が表示され、空き状況欄には、「空席有り」が表示される。
【０１２３】
この日程表示欄Ｗ８の下方には「ＯＫ」のアイコンＫ２７が表示される。ここで、ユーザ５が３月３日の試験会場を選択（画面中○にドットで表示）し、これに同意して、「ＯＫ」アイコンＫ２７をクリックすると、会場・日程検索画面Ｐ２１が図１３Ｃに示す確認画面Ｐ２２へ遷移するようになされる。
【０１２４】
確認画面Ｐ２２には「登録内容確認」の文字情報が表示されると共に、「ＯＫ」のアイコンＫ２８が表示される。ここで、ユーザ５は登録内容を確認し同意する場合は、「ＯＫ」のアイコンＫ２８をクリックする。このアイコンＫ２８のクリックによって、確認画面Ｐ２２が図１４Ａに示す決済・課金システム画面Ｐ２３へ遷移するようになされる。
【０１２５】
この決済・課金システム画面Ｐ２３には「決済・課金システム」の文字情報が表示されると共に、決済・課金処理の流れを示すフローチャートが表示される。この例でステップＳＴ１で課金方法を選択し、ステップＳＴ２で必要事項が入力され、ステップＳＴ３で認証を受け、ステップＳＴ４で決済確認がなされる。このフローチャートの表示領域の下方には、「ＯＫ」のアイコンＫ２９が表示される。ここで、ユーザ５はこれらの一連の決済・課金処理を確認し同意する場合は、「ＯＫ」のアイコンＫ２９をクリックする。
【０１２６】
このアイコンＫ２９のクリックによって、決済・課金システム画面Ｐ２４から、図１４Ｂに示す受験番号発行・最終確認画面Ｐ２４が表示される。受験番号発行・最終確認画面Ｐ２４には、「内容をプリントアウトして控えてください」のメッセージが表示されると共に、このメッセージ領域の下方に登録内容欄Ｗ９が表示される。
【０１２７】
登録内容欄Ｗ９も一覧表に編集されて表示される。例えば、登録項目として、受験者の「名前」、その「ＩＤ」、そのパスワード「ＰＷ」、「受験番号」、試験の「科目」、「試験会場」、「日程」及び「時間」が準備される。この例で、名前の欄には、「コニキミノル」が表示され、「ＩＤ」の欄には「１１」が表示され、ＰＷの欄には「０１２ａｂ３」が表示され、受験番号の欄には「００１１−２３４５」が表示され、科目の欄には「ビジネスキーボード」が表示され、試験会場の欄には「東京商工会議所」が表示され、日程の欄には「２００３．３．３（水）」が表示され、時間の欄には「１０：００〜１１：００」が各々表示される。
【０１２８】
この登録内容欄Ｗ９の下方には「ＯＫ」のアイコンＫ３０が表示される。ここで、ユーザ５が登録内容を最終確認しこれに同意する場合には、「ＯＫ」アイコンＫ３０をクリックすると、受験番号発行・最終確認画面Ｐ２４が図１４Ｃに示す登録完了画面Ｐ２５へ遷移するようになされる。
【０１２９】
登録完了画面Ｐ２５には、「お疲れさまでした」のメッセージが表示されると共に、このメッセージ領域の下方に「メニューへ」のアイコンＫ３１が表示される。ユーザ５はアイコンＫ３１をクリックして図１２Ｄに示したようなメニュー画面Ｐ１９に戻るようになされる。
【０１３０】
図１５Ａ及びＢは無料会員ログイン後のオンライン試験申込み画面Ｐ３の表示遷移例を示す図である。
図１５Ａに示すオンライン試験申込み画面Ｐ３は、図１に示した情報処理装置４０Ａのモニタ４２において、図９Ｂに示したメニュー画面Ｐ０５の中の「オンライン試験」の選択項目キーＫ１をクリックすることにより表示される。オンライン試験申込み画面Ｐ３には、「オンライン試験情報」の文字情報が表示されると共に、各種オンライン試験情報が表示される。この表示領域の下方には、「ご注意  オンライン試験に申し込むには事前に、有料会員に登録の上、メンバーズカードを取得（発行）する必要があります。」のメッセージが表示される。このメッセージの下方には、「オンライン試験申し込み」のアイコンＫ３２が表示される。
【０１３１】
ユーザ５がこのアイコンＫ３２をクリックすると、オンライン試験申込み画面Ｐ３が図１５Ｂに示す会員登録案内画面Ｐ３１が表示される。会員登録案内画面Ｐ３１には、「会員登録案内」の文字情報が表示されると共に、「これより先は有料会員の登録が必要です。登録画面よりメンバー登録をお願いします。」のメッセージが表示される。
【０１３２】
このメッセージの下方には、表示色を変えて、「→  有料会員登録について」のメッセージが表示される。このメッセージの下方には、「メンバーズカード発行（有料会員登録）」のアイコンＫ３３が表示される。ここで、ユーザ５は、アイコンＫ３３をクリックすると、会員登録案内画面Ｐ３１が図１０Ａに示した有料会員登録画面Ｐ１へ遷移するようになされる。
【０１３３】
図１６Ａ及びＢ、図１７Ａ〜Ｄ、図１８Ａ〜Ｄは非会員直接参入時のオンライン試験申込み画面Ｐ４の表示遷移例（その１〜３）を各々示す図である。  
図１６Ａに示すオンライン試験申込み画面Ｐ４は、図１に示した情報処理装置４０Ａのモニタ４２において、図８Ａに示したメニュー画面Ｐ０１の中の「オンライン試験」の選択項目キーＫ１をクリックすることにより表示される。オンライン試験申込み画面Ｐ４には、「オンライン試験情報」の文字情報が表示されると共に、各種オンライン試験情報が表示される。この表示領域の下方には、「ご注意  オンライン試験に申し込むには事前に、有料会員に登録の上、メンバーズカードを取得（発行）する必要があります。」のメッセージが表示される。このメッセージの下方には、「オンライン試験申し込み」のアイコンＫ３４が表示される。
【０１３４】
ユーザ５が、当該システム１００に直接参入すべく、このアイコンＫ３４をクリックすると、オンライン試験申込み画面Ｐ４が図１６Ｂに示す会員登録案内画面Ｐ４１が表示される。会員登録案内画面Ｐ４１には、「会員登録案内」の文字情報が表示されると共に、「これより先は有料会員の登録が必要です。登録画面よりメンバー登録をお願いします。」のメッセージが表示される。
【０１３５】
このメッセージの下方には、表示色を変えて、「→  有料会員登録について」のメッセージが表示される。更に、この下方には、「有料会員に登録すると顔画像（顔写真）入りのメンバーズカードが発行され、オンライン試験申し込み、セミナー申し込み、コンテンツの割引きなど、さまざまな付加サービスを受けることができます。有料会員に登録する際には、事前に顔画像データの取得が必要になります。また、メンバーズカードの発行には費用がかかります。・・・・・・」のメッセージが表示される。このメッセージの下方には、「メンバーズカード発行（有料会員登録）」のアイコンＫ３５が表示される。ここで、ユーザ５は、アイコンＫ３５をクリックすると、会員登録案内画面Ｐ４１が図１７Ａに示す有料会員登録画面Ｐ４２へ遷移するようになされる。
【０１３６】
この有料会員登録画面Ｐ４２には、「個人情報入力」の文字情報が表示されると共に、ユーザＩＤを記述する欄Ｗ１及び、パスワード（ＰＷ）を記述する欄Ｗ２、ＰＷを確認する欄Ｗ３、姓（漢字）を記述する欄Ｗ４、及び、名（漢字）を記述する欄Ｗ５が表示される。ユーザが新規会員に登録する場合は、情報処理装置４０Ａのキーボードやマウスを使用して、欄Ｗ１にユーザＩＤ、例えば、「ｋｏｎｉ−ｍｉｎｏ」を記述し、欄Ｗ２にパスワード「＊＊＊＊＊＊＊」を記述し、欄Ｗ３でＰＷを確認する。欄Ｗ４にユーザの姓○○を記述し、欄Ｗ５に名××を記述する。
【０１３７】
これらの内容を記述したら、この画面Ｐ４２の下方に設けられた「次へ」のアイコンＫ３６をクリックする。このアイコンＫ３６のクリックによって、図１７Ｂに示す確認画面Ｐ４３が例えば、ポップアップ表示される。この確認画面Ｐ４３には、「内容確認」のメッセージと共に「ＯＫ」アイコンＫ３７が表示される。ここで「ＯＫ」のアイコンＫ３７をクリックすると、有料会員登録画面Ｐ４２が図１７Ｃに示すカードタイプ選択画面Ｐ４４へ遷移するようになされる。
【０１３８】
カードタイプ選択画面Ｐ４４には、「カードタイプ選択」の文字情報が表示されると共に、例えば、色分けした２つのカードタイプ見本が表示される。この例でカードタイプＩはクリーム色、カードタイプIIは若草色である。これは非会員ユーザ５に関して２のみの色でメンバーズカード１０を作成するために準備される。ユーザ５はクリーム色又は若草色のいずれか一方のカードタイプ見本を選択するようになされる。
【０１３９】
このカードタイプ見本の表示領域の下方には、「ＯＫ」のアイコンＫ３８が表示される。ここで、ユーザ５は、カードタイプ見本を選択し、この例では、若草色のカードタイプIIが選択（画面中○にドットで表示）して「ＯＫ」アイコンＫ３８をクリックすると、カードタイプ選択画面Ｐ４４が図１７Ｄに示す顔画像データロード画面Ｐ４５へ遷移するようになされる。
【０１４０】
顔画像データロード画面Ｐ４５には、「顔画像データロード」の文字情報と共に、「顔画像登録時に発行された画像ＩＤとパスワード（ＰＷ）を入力して下さい。顔画像が無いとメンバーズカードは発行できません。」のメッセージが表示される。このメッセージの表示領域の下方には、画像ＩＤ番号を記述する欄Ｗ６及び、画像パスワードを記述する欄Ｗ７が表示される。この欄の表示領域の下方には、「次へ」のアイコンＫ３９が表示される。ここで、ユーザ５は欄Ｗ６に画像ＩＤ番号、例えば、「０１２１３４」を記述し、欄Ｗ７に画像パスワード「＊＊＊＊＊＊」を記述した後に、「次へ」のアイコンＫ３９をクリックすると、顔画像データロード画面Ｐ４５が図１８Ａに示す顔画像確認画面Ｐ４６へ遷移するようになされる。
【０１４１】
顔画像確認画面Ｐ４６には「顔画像確認」の文字情報と共に、ユーザ５の顔画像を抽出したサムネイル画像Ｐfaが表示される。このサムネイル画像Ｐfaに関しては、オンライン受験主催者センター１０１の情報処理装置４０Ｂからカード作成システム１０２の管理サーバー３へ有効期限情報、画像ＩＤ番号、画像パスワードを送信し、顔画像サーバー３０からユーザ５の顔画像データＤfaを取得したものである。
【０１４２】
顔画像サーバー３０では、情報処理装置４０Ｂから受信した有効期限情報と当該顔画像サーバー３０で管理する撮影日情報とを比較し、情報比較結果に基づいて当該顔画像サーバー３０からカード作成装置６０へのユーザ５の顔画像データＤfaの配信が可能か否かを判別するようになされる。従って、この時点で、既に、顔画像データＤfaの有効期限が徒過していると、サムネイル画像は得られないようになる。この場合は、再度、顔画像を登録してもらうようになる。
【０１４３】
この顔画像確認画面Ｐ４６でサムネイル画像Ｐfaの表示領域の下方には、「次へ」のアイコンＫ４０が表示される。ここで、ユーザ５はサムネイル画像Ｐfaを確認し同意する場合は、「次へ」のアイコンＫ４０をクリックする。このアイコンＫ４０のクリックによって、顔画像確認画面Ｐ４６が図１８Ｂに示すカードサンプル表示画面Ｐ４７へ遷移するようになされる。
【０１４４】
カードサンプル表示画面Ｐ４７には、「カードサンプル表示」の文字情報と共に、メンバーズカードの完成イメージがサンプル表示される。カードサンプル表示画面Ｐ４７に表示されるメンバーズカード１０’には、「有料会員メンバーズカード」の文字情報の他に、氏名「コニキミノル」、ＩＤ番号「００１１」・・・・などが記述される（図３参照）。
【０１４５】
メンバーズカード１０’の表示領域の下方には、「ＯＫ」のアイコンＫ４１が表示される。ここで、ユーザ５はメンバーズカード１０’の完成イメージを確認し同意する場合は、「ＯＫ」のアイコンＫ４１をクリックする。このアイコンＫ４１のクリックによって、カードサンプル表示画面Ｐ４７が図１８Ｃに示す決済・課金システム画面Ｐ４８へ遷移するようになされる。
【０１４６】
この決済・課金システム画面Ｐ４８には「決済・課金システム」の文字情報が表示されると共に、唯一のステップＳＴ０で決済確認がなされる。このフローチャートの表示領域の下方には、「ＯＫ」のアイコンＫ２０が表示される。ここで、ユーザ５は決済・課金処理を確認し同意する場合は、「ＯＫ」のアイコンＫ４２をクリックする。
【０１４７】
このアイコンＫ４２のクリックによって、例えば、決済・課金システム画面Ｐ１６上に図１８Ｄに示す確認画面Ｐ４９がポップアップ表示するようになされる。確認画面Ｐ４９には、「発行内容確認」の文字情報が表示されると共に、「ＯＫ」のアイコンＫ４３が表示される。ここで、ユーザ５は発行内容を確認し決済に同意する場合は、「ＯＫ」のアイコンＫ４３をクリックする。このアイコンＫ４３のクリックによって、決済・課金システム画面Ｐ４８が図１３Ａに示す有料会員ログイン後のオンライン試験申込み画面Ｐ２へ遷移するようになされる。
【０１４８】
図１９Ａ〜Ｃ、図２０はｅ−ラーニング申込み画面Ｐ５の表示遷移例（その１、２）を各々示す図である。
図１９Ａに示すｅ−ラーニング申込み画面Ｐ５は、図１に示した情報処理装置４０Ａのモニタ４２において、図９Ｂに示したメニュー画面Ｐ０５の中の「ｅ−ラーニング」の選択項目キーＫ３をクリックすることにより表示される。ｅ−ラーニング申込み画面Ｐ５には、「オンライン受験ｅ−ラーニング」の文字情報が表示されると共に、このｅ−ラーニングの購入方法などの説明文字情報が表示される。
【０１４９】
この表示領域の下方には、例えば、「販売士３級」や、「販売士２級」等のｅ−ラーニング選択項目が表示される。この「販売士３級」のｅ−ラーニング選択項目の下縁には「学習する」のアイコンＫ４４が表示される。アイコンＫ４４の下方には「有効期限：２００４．４．１１」が表示される。
【０１５０】
また、「販売士２級」のｅ−ラーニング選択項目の下縁には「購入する」のアイコンＫ４５が表示される。アイコンＫ４５の下方には「申込みされていません」等のメッセージが表示される。このｅ−ラーニング申込み画面Ｐ５でユーザ５が、アイコンＫ４５をクリックして「販売士２級」の購入を申し込むと、ｅ−ラーニング申込み画面Ｐ５が図１９Ｂに示す決済・課金システム画面Ｐ５１に遷移するようになされる。
【０１５１】
この決済・課金システム画面Ｐ５１には「決済・課金システム」の文字情報が表示されると共に、決済・課金処理の流れを示すフローチャートが表示される。この例でステップＳＴ１で課金方法を選択し、ステップＳＴ２で必要事項が入力され、ステップＳＴ３で認証を受け、ステップＳＴ４で決済確認がなされる。このフローチャートの表示領域の下方には、「ＯＫ」のアイコンＫ４６が表示される。ここで、ユーザ５はこれらの一連の決済・課金処理を確認し同意する場合は、「ＯＫ」のアイコンＫ４６をクリックする。
【０１５２】
このアイコンＫ４６のクリックによって、決済・課金システム画面Ｐ５１上に、図１９Ｂに示す確認画面Ｐ５２がポップアップ表示される。確認画面Ｐ５２には、「購入内容確認」の文字情報が表示されると共に、「ＯＫ」のアイコンＫ４７が表示される。ここで、ユーザ５は購入内容を確認し決済に同意する場合は、「ＯＫ」のアイコンＫ４７をクリックする。このアイコンＫ４７のクリックによって、確認画面Ｐ５２が図２０に示すｅ−ラーニング学習画面Ｐ５３へ遷移するようになされる。
【０１５３】
ｅ−ラーニング学習画面Ｐ５３には「販売士３級」のアイコンＫ４８が表示されると共に、「ようこそコニキミノルさん・・・・」等のメッセージが表示される。このメッセージの下方には、オンライン購入された販売士２級に関して「１セット」、「２セット」、「メッセージ」、「履歴確認」等の選択項目キーＫ４９〜Ｋ５２が表示される。ユーザ５はオンライン購入された販売士２級に関して学習するようになされる。
【０１５４】
図２１Ａ、Ｂ及び、図２２Ａ〜Ｃはマイページ画面Ｐ６の表示遷移例（その１、２）を各々示す図である。
図２１Ａに示すマイページ画面Ｐ６は、図１に示した情報処理装置４０Ａのモニタ４２において、図９Ｂに示したメニュー画面Ｐ０５の中の「マイページ」の選択項目キーＫ５をクリックすることにより表示される。マイページ画面Ｐ６には、「マイページ（情報確認・修正）」の文字情報が表示されると共に、メニューが表示される。
【０１５５】
この例でマイページのメニューとして、「個人情報確認・修正」、「申込み状況」、「受験履歴」、「カード発行状況」、「カード再発行」等の選択項目キーＫ５３〜Ｋ５７が表示される。例えば、選択項目キーＫ５３がクリックされた場合は、個人情報Ｄ１の登録内容を確認したり、それを修正できるようになされる。選択項目キーＫ５４がクリックされた場合は、受験申込み状況を確認したり、受験番号を確認できるようになされる。選択項目キーＫ５５がクリックされた場合は、過去の受験履歴、合否、スコア表示、ｅ−ラーニング受講履歴等を確認できるようになされる。
【０１５６】
また、このメニューで、選択項目キーＫ５７をクリックすると、マイページ画面Ｐ６が図２１Ｂに示すカード発行履歴画面Ｐ６１に遷移する。カード発行履歴画面Ｐ６１には、「カード発行履歴」の文字情報が表示されると共に、「カードの再発行には別途料金がかかります。」のメッセージが表示される。このメッセージの下方には、「カード種類」、「発行日」、「再発行料」等の項目が表示される。
【０１５７】
この例で、「カード種類」に関して「会員カード」、「キータッチ」、「Ｅ−メール検定」等が表示される。「発行日」については、会員カードに関して「２００２．３．４」が表示され、キータッチに関して「２００２．４．５」が表示され、Ｅ−メール検定に関しては「２００３．５．４」が各々表示される。再発行料については、いずれも「１０００円」が表示される。
【０１５８】
カード再発行表示領域の下方には、「再発行する」のアイコンＫ５８が表示される。ここでユーザ５が「会員カード」を選択（○内にドットを表示）して再発行を要求する場合は、アイコンＫ５８をクリックする。このアイコンＫ５８のクリックによって、カード発行履歴画面Ｐ６１が図２２Ａに示す決済・課金システム画面Ｐ６２に遷移する。
【０１５９】
この決済・課金システム画面Ｐ６２には「決済・課金システム」の文字情報が表示されると共に、決済・課金処理の流れを示すフローチャートが表示される。この例でステップＳＴ１で課金方法を選択し、ステップＳＴ２で必要事項が入力され、ステップＳＴ３で認証を受け、ステップＳＴ４で決済確認がなされる。このフローチャートの表示領域の下方には、「ＯＫ」のアイコンＫ５９が表示される。ここで、ユーザ５はこれらの一連の決済・課金処理を確認し同意する場合は、「ＯＫ」のアイコンＫ５９をクリックする。
【０１６０】
このアイコンＫ５９のクリックによって、決済・課金システム画面Ｐ６２上に、図２２Ｂに示す決済完了画面Ｐ６３がポップアップ表示される。決済完了画面Ｐ６３には、「発行内容確認」の文字情報が表示されると共に、「次へ」のアイコンＫ６０が表示される。ここで、ユーザ５は発行内容を確認し決済に同意する場合は、「次へ」のアイコンＫ６０をクリックする。このアイコンＫ６０のクリックによって、決済完了画面Ｐ６３が図２２Ｃに示す確認画面Ｐ６４に遷移する。
【０１６１】
確認画面Ｐ６４には、「カード再発行内容確認」の文字情報が表示されると共に、この表示領域の下方に「ＯＫ」のアイコンＫ６１が表示される。ここで、ユーザ５はカード再発行の内容を確認し同意する場合は、「ＯＫ」のアイコンＫ６１をクリックして処理を終了する。
【０１６２】
続いて、オンライン試験受験時の処理例について説明をする。図２３〜図２５はオンライン試験受験時の処理例（その１〜３）を示す図である。この例では、本人確認を二重にチェックする方式が採られる。第１チェックでは顔画像が試験者によって目視確認される。第２チェックでは予め試験場に準備されたパソコン等により受験者であるユーザ５の受験番号等の個人情報Ｄ１が認証される。試験場に準備されるパソコン等は、オンライン受験主催者センター１０１の情報処理装置４０Ｂとリンクされる。
【０１６３】
これを前提にして、図２３Ａにおいて、受験者は試験者の目視確認等により本人である受付を済ませて試験教室に入室する。このとき、メンバーズカード１０の持参を必須条件とし、メンバーズカード１０に形成された顔画像により本人確認を行う（第１チェック）。この第１チェックによって、図２３Ｂにおいて受験行為が開始される。この例では、図２３Ｃにおいて、受験者の入り口が例えば、個人入り口と、団体入り口とに区分される。各々の入り口には、パソコンが準備される。
【０１６４】
個人入り口から教室に入室する受験者は、図２３Ｄで個人入り口に準備されたパソコンの表示画面（以下単にパソコン画面という）Ｐ７１に受験番号等の個人情報Ｄ１をログインする。このとき、パソコン画面Ｐ７１には、例えば、ＩＤに関して「ｋｏｎｉ−ｍｉｎｏ」が表示され、受験番号に関して「ＥＷ０２０３３００００１」が表示され、生年月日に関して「１９７２年１０月１１日」が表示される。
【０１６５】
これらの個人情報Ｄ１を入力して「ログイン」のアイコンＫ６２がクリックされると、このパソコン画面Ｐ７１が図２４Ａに示す受験情報表示画面Ｐ７２に遷移する。受験情報表示画面Ｐ７２には、「ようこそ  ○○さん」のメッセージの他に、受験科目に関して「ｅ−メール検定」が表示され、会場に関して「オンライン受験主催者センター」が表示され、受験日時に関して「２００３．２．２４  １０：００〜１２：００」が表示される。これらの受験項目の下方には、認証コード「＊＊＊＊＊＊」が表示される。認証コードの下方には「試験開始」のアイコンＫ６４が表示される。
【０１６６】
受験者であるユーザ５は「試験開始」のアイコンＫ６４がクリックされると共に、図２４Ｂで試験を開始し、問題を解答し、その後、解答を提出する。試験者は問題を自動採点し、試験結果を表示する。例えば、図２６に示すようなオンライン試験結果画面Ｐ７がユーザ５の情報処理装置４０Ａ等に表示される。受験者は解答提出後、図２４Ｃで試験を終了し退出する。
【０１６７】
また、図２３Ｃで団体入り口から教室に入室する受験者であるユーザ５は、図２３Ｅで団体入り口に準備された他のパソコンの表示画面（以下単にパソコン画面という）Ｐ７３で団体コード等を入力して「ＯＫ」のアイコンＫ６３をクリックする。このアイコンＫ６３のクリックによって、パソコン画面Ｐ７３が図２５Ａに示す会員登録有無確認画面Ｐ７４に遷移する。
【０１６８】
この会員登録有無確認画面Ｐ７４には、「会員登録有無確認」の文字情報が表示されると共に、「ＩＤを持っている人」の文字情報が表示される。この表示領域の下方には、ユーザＩＤを記述する欄Ｗ１及び、パスワード（ＰＷ）を記述する欄Ｗ２が記述する欄Ｗ２が表示される。ユーザＩＤを所有しているユーザ５は欄Ｗ１にユーザＩＤを記述し、欄Ｗ２にパスワードを記述する。そして、「ログイン」のアイコンＫ６５をクリックする。このアイコンＫ６５のクリックによって、登録有無確認画面Ｐ７４が図２４Ａに示した受験情報表示画面Ｐ７２に遷移する。その後は、図２４Ｂ及び図２４Ｃで説明した同じ処理がなされる。
【０１６９】
また、「ログイン」のアイコンＫ６５の下方には、「ＩＤを持っていない人」の文字情報が表示されると共に、その下方には「新規登録」のアイコンＫ６６が表示される。この例で、ＩＤを持っている人がいない場合は、図２５Ａに示した会員登録有無確認画面Ｐ７４でアイコンＫ６６をクリックする。このアイコンＫ６６のクリックによって、登録有無確認画面Ｐ７４が図２４Ｂに示す新規会員登録画面Ｐ７５へ遷移する。
【０１７０】
新規会員登録画面Ｐ７５には、「新規会員登録」の文字情報が表示されると共に、ユーザＩＤを記述する欄Ｗ１及び、パスワード（ＰＷ）を記述する欄Ｗ２、ＰＷを確認する欄Ｗ３、姓（漢字）を記述する欄Ｗ４、及び、名（漢字）を記述する欄Ｗ５が表示される。ユーザが新規会員に登録する場合は、試験場に予め準備されたパソコンのキーボードやマウスを使用して、欄Ｗ１にユーザＩＤ、例えば、「ｋｏｎｉ−ｍｉｎｏ」を記述し、欄Ｗ２にパスワード「＊＊＊＊＊＊＊」を記述し、欄Ｗ３でＰＷを確認する。欄Ｗ４にユーザの姓○○を記述し、欄Ｗ５に名××を記述する。
【０１７１】
これらの内容を記述したら、この画面Ｐ７５の下方に設けられた「登録」のアイコンＫ６７をクリックする。このアイコンＫ６７のクリックによって、新規会員登録画面Ｐ７５が図２４Ｃに示す確認画面Ｐ７６に遷移する。この確認画面Ｐ７６には、先の新規会員登録画面Ｐ７５の表示内容と、「登録」のアイコンに代えて、「確認」のアイコンＫ６８及び、「修正」のアイコンＫ６９が表示される。
【０１７２】
この確認画面Ｐ７６で修正が必要な場合は、アイコンＫ６９がクリックされ、修正が必要なく「ＯＫ」する場合はアイコンＫ６８をクリックするようになされる。ここでユーザ５がアイコンＫ６８をクリックすると、確認画面Ｐ７６が図２４Ａに示した受験情報表示画面Ｐ７２に遷移する。その後は、図２４Ｂ及び図２４Ｃで説明した同じ処理がなされる。なお、新規会員登録画面Ｐ７５では、顔画像の登録はなされない。
【０１７３】
図２６はオンライン試験結果画面Ｐ８の表示例を示す図である。このシステム１００で、オンライン試験が実施されると、情報処理装置４０Ａ又は４０Ｂには、図２６に示すオンライン試験結果画面Ｐ８を表示するようになされる。
【０１７４】
オンライン試験結果画面Ｐ８には、「オンライン試験」の文字情報が表示されると共に、例えば、ｅ−メール検定等のオンライン試験実施に関して自動採点処理がなされ、その採点結果を表示するようになされる。ユーザ５は、オンライン試験結果画面Ｐ８で合否を確認することができる。このシステム１００では、有料会員向けサービスとして、オンライン試験に合格した場合に、顔画像入りの合格認定カード１０''が授与される。
【０１７５】
図２７Ａ〜Ｄは合格認定カード発行時の処理例を示す図である。この例で、合格認定カード１０''は、個人宛に直接発送するルート又は、オンライン受験主催者センター１０１等宛でまとめて発送するルートの２つが準備される。
【０１７６】
個人宛に直接発送するルートでは、図２７Ａに示す行程Ｐ８１において、カード作成者側では、合格認定カード１０''を形成するための発行カードデータを作成する。このとき、発行カードデータは、顔画像サーバー３０からカード作成者に配信された顔画像データＤfaを使用する。合格認定カード１０''の所定領域には文字情報が印刷される。文字情報は、例えば「合格証  Ｅ−メール検定」、「氏名」、「ＩＤ」・・・などである。この合格認定カード１０''にも顔画像形成領域が割り当てられ、顔画像サーバー３０に登録されたユーザ５の顔画像が形成される。この完成イメージを情報処理装置４０Ａ等に配信して確認するようにしてもよい。
【０１７７】
このような発行カードデータが作成されると、図２７Ｂに示す行程Ｐ８２において、カード作成者側では、カード作成装置６０を使用して合格認定カード１０''がプリント製作される。その後、図２７Ｃに示す行程Ｐ８３において、カード作成者から合格者宛へ合格認定カード１０''が発送される。
【０１７８】
また、オンライン試験受験センター宛にまとめて合格認定カード１０''を発送するルートでは、上述した行程Ｐ８１、Ｐ８２を経た後に、図２３Ｄに示す行程Ｐ８４において、カード作成者からオンライン受験主催者センター１０１へ合格認定カード１０''がまとめて発送される。オンライン受験主催者センター１０１は試験会場や、各地の商工会議所等へ発送先を指定できるようになされる。この場合は、合格認定カード１０''は、オンライン受験主催者センター１０１から合格者へ、又は、試験会場で各合格者へ、あるいは、各地の商工会議所で各合格者へ各々手渡すようになされる。
【０１７９】
続いて、オンライン受験システム１００における情報処理例について説明をする。この実施例では、ユーザ（受験者）５の撮影顔画像に基づいてメンバーズカード１０を作成する場合を前提とする。この例で撮影システム１に配置される撮影装置２０と、カード作成システム１０２に配置される管理サーバー３と、ユーザ５の情報処理装置４０Ａと、オンライン受験主催者センター１０１の情報処理装置４０Ｂとがインターネット２を通じて接続される。カード作成システム１０２では、インターネット２に接続された管理サーバー３と、専用の通信回線４を通じて顔画像サーバー３０とカード作成装置６０とが接続される。
【０１８０】
このオンライン受験システム１００における情報処理例では、ユーザ５における情報処理装置４０Ａを使用したカード作成要求時の処理例、オンライン受験主催者センター１０１における処理例、撮影システム１における処理例、撮影画像登録管理系における処理例、カード作成装置６０における処理例の５つに分けて説明をする。
【０１８１】
［カード作成要求時の処理例］
図２８及び図２９は情報処理装置４０Ａにおけるカード作成要求時の処理例（その１、２）を各々示すフローチャートである。
この実施例でユーザ５がオンライン受験システム１００に参加しようとする場合に、カード作成システム１０２に本人の撮影顔画像を登録し、オンライン受験システム１００からメンバーズカード１０の配布を受けることが前提となる。メンバーズカード１０は、オンライン受験システム１００のカード作成部門を担当するカード作成システム１０２によって形成される場合を例に挙げる。
【０１８２】
また、オンライン受験システム１００では、ユーザ５からのカード作成要求を受け付けると共に、有効期限情報及び当該ユーザ５の個人情報Ｄ１を受け付けるようになされる。この例で本人の撮影顔画像をカード作成システム１０２に登録していない場合、ユーザ５の情報処理装置４０Ａで撮影装置２０が設置された場所を検索するように操作される。
【０１８３】
これを処理条件にして、ユーザ５は情報処理装置４０Ａを使用して、図２８に示すフローチャートのステップＡ１でオンライン受験主催者センター１０１に発呼してインターネット２等の通信回線を接続する。そして、ユーザ５の情報処理装置４０Ａと、オンライン受験主催者センター１０１の情報処理装置４０Ｂとがインターネット２等を通じてが通信接続処理が確立されると、ステップＡ２で情報処理装置４０Ａのモニタ４２にはオープンメニュー画面等の注釈表示がなされる。表示内容は、オンライン受験主催者センター１０１に参加するための会員登録に関する事項、参加に必要なメンバーズカード１０やオンライン試験に関する事項等である（図８Ａ参照）。
【０１８４】
そして、ステップＡ３でカード作成システム１０２に本人の撮影顔画像が登録されているか否かが確認される。カード作成システム１０２に本人の撮影顔画像が登録されている場合は、ステップＡ４に移行する。撮影顔画像が登録されていない場合は、ステップＡ１８に移行する。撮影顔画像が登録されている場合は、ステップＡ４に移行して、情報処理装置４０Ａは会員登録項目に修正が有るか否かを確認する。会員登録項目に修正が有る場合（ＮＧ）には、ステップＡ４に移行して会員登録項目を修正する。
【０１８５】
ステップＡ４で会員登録項目に修正が無い場合（ＯＫ）には、ステップＡ５に移行する。ステップＡ６で情報処理装置４０Ａはユーザ５によって、カードタイプを選択するように操作される。その後、ステップＡ７でユーザ５は情報処理装置４０Ａを使用して画像ＩＤ情報を入力する。
【０１８６】
更に、ステップＡ８で情報処理装置４０Ａを使用して有効期限情報をオンライン受験主催者センター１０１に送信する。このオンライン受験主催者センター１０１への有効期限情報の送信は、カード作成システム１０２に有効期限内の本人の撮影顔画像が登録されているかを確認するためである。そして、ステップＡ９で情報処理装置４０Ａはオンライン受験主催者センター１０１から、有効期限内の本人の撮影顔画像が登録されているか否かの照会通知を受信する。
ステップＡ１０で情報処理装置４０Ａは本人の撮影顔画像に関する有効期限照会結果に基づいて制御を分岐する。本人の撮影顔画像が有効期限切れである場合は、ステップＡ１１に移行して有効期限切れをモニタ４２に表示する。その後、ステップＡ２に戻って上述した処理を繰り返す。撮影顔画像が有効期限切れの場合は、ステップＡ２で情報処理装置４０Ａのモニタ４２に新たな撮影顔画像を取得する旨の表示がなされる。
【０１８７】
ステップＡ１０で本人の撮影顔画像が有効期限内である場合には、図２９に示すフローチャートのステップＡ１２に移行する。ステップＡ１２でオンライン受験主催者センター１０１から、図１１Ｂに示したようなサムネイル画像を受信してモニタ４２に表示する。ステップＡ１３でユーザはサムネイル画像を確認する。サムネイル画像に関してユーザ５の同意が得られない場合（ＮＧ）は、ステップＡ２に戻って上述した処理を繰り返す。サムネイル画像に関してユーザ５の同意が得られた場合（ＯＫ）は、ステップＡ１４に移行して、制御装置４５はカードサンプルをモニタ４２に表示する。
【０１８８】
その後、ステップＡ１５に移行して、制御装置４５はユーザ５に対してカードサンプルに修正が有るか否かを確認する。カードサンプルに修正が有る場合（ＮＧ）には、ステップＡ１６に移行してカードサンプルを修正する。その後、ステップＡ１７に移行する。ステップＡ１７では、図１２Ａに示したような決済処理をする。
【０１８９】
なお、ステップＡ３で本人の撮影顔画像が登録されていない場合は、ステップＡ１８で撮影装置２０が設置された撮影システム１の場所をモニタ４２に表示される。ユーザ５はモニタ４２に表示された撮影システム１の場所を検索するように、情報処理装置４０Ａを操作する。その後、ステップＡ１９に移行してインターネット２等の通信回線を「断」して通信処理を終了する。
【０１９０】
［オンライン試験受験センターにおける処理例］
図３０及び図３１はオンライン受験主催者センター１０１における処理例（その１、２）を各々示すフローチャートである。この実施例で、図６に示した情報処理装置４０Ｂの情報処理手段４１は、メンバーズカード発行のサブシステムとして機能する。電源がオンされると、制御装置４５内のＣＰＵ５４は、ＲＯＭ５１からシステムプログラムデータを読み出してシステムを起動し、操作手段４４からの操作データＤ３３に基づいて当該情報処理装置全体を制御するようになされる。
【０１９１】
例えば、ユーザ（受験者）５から当該システム１００への参加申し込みが有った場合に、所定のアプリケーションに基づいて図２に示したようなオンライン受験主催者センターＷＥＢサイトＷ１を立ち上げる処理がなされる。この例では、オンライン受験主催者センター１０１における情報処理装置４０Ｂからカード作成システム１０２に対して有効期限情報及びユーザ５の個人情報Ｄ１を出力してカード作成を要求するように処理する場合を例に挙げる。なお、ユーザ５の撮影顔画像が顔画像サーバー３０に登録されていない場合に、予め顔画像撮影協力店となっている撮影場所を検索可能なＷＥＢ画面を提供するようになされる。
【０１９２】
これを処理条件にして、図３０に示すフローチャートのステップＢ１でユーザ５の情報処理装置４０Ａからの回線接続要求を待機する。回線接続要求が有った場合は、ステップＢ２に移行してインターネット２等の通信回線を接続する。その後、ステップＢ３に移行して、ＷＥＢサイトＷ１を立ち上げて、オンライン試験申込みか否か判別する。オンライン試験申込みである場合は、ステップＢ４に移行して撮影顔画像（顔画像）が既登録か否かを確認する。
【０１９３】
撮影顔画像が既にカード作成システム１０２に登録されている場合は、ステップＢ５に移行して情報処理手段４１は、情報処理装置４０Ａを通じてユーザ５に対して撮影顔画像を使用する許諾を得るようになされる。ユーザ５からの使用許諾が取得されると、ステップＢ６に移行してオンライン受験主催者センター１０１は、カード作成システム１０２の管理サーバー３を呼び出して撮影顔画像を要求する。
【０１９４】
このとき、オンライン受験主催者センター１０１の情報処理装置４０Ｂは、ユーザ５の情報処理装置４０Ａから入力した有効期限情報を管理サーバー３に送信する。この管理サーバー３への有効期限情報の送信は、カード作成システム１０２に有効期限内の本人の撮影顔画像が登録されているかを確認するためである。そして、ステップＢ７でオンライン受験主催者センター１０１は、ユーザ５の情報処理装置４０Ａに、有効期限内の本人の撮影顔画像が登録されているか否かの照会通知を送信する。
【０１９５】
この撮影顔画像が顔画像サーバー３０に登録されている場合は、図３１に示すフローチャートのステップＢ８に移行して情報処理装置４０Ｂでは画像ＩＤ情報、パスワード（ＰＷ）が入力される。そして、ステップＢ９で情報処理装置４０Ｂは管理サーバー３を通じて顔画像サーバー３０から顔画像データＤfaを取得してサムネイル画像を表示する。サムネイル画像はユーザ５の情報処理装置４０Ａのモニタ４２に表示される。
【０１９６】
ステップＢ１０でオンライン受験主催者センター１０１はサムネイル画像に関してユーザの同意を取る。ユーザ５がサムネイル画像に同意しない場合（ＮＧ）は、ステップＢ９に戻って上述した処理を繰り返す。サムネイル画像に関してユーザ５の同意が得られた場合は、ステップＢ１１に移行して、オンライン受験主催者センター１０１の情報処理装置４０Ｂはユーザ５の情報処理装置４０Ａから個人情報Ｄ１を入力する。その後、ステップＢ１２に移行してカードタイプを表示した後、ステップＢ１３に移行してカードサンプルを表示する。
【０１９７】
そして、ステップＢ１４に移行して、カードサンプルに修正が有るか否かを確認する。カードサンプルに修正が有る場合（ＮＧ）には、ステップＢ１５に移行してカードサンプルを修正する。その後、ステップＢ１６に移行する。ステップＢ１６では、決済処理をする。
【０１９８】
そして、ステップＢ１７でオンライン受験主催者センター１０１は、ユーザ５の個人情報Ｄ１を管理サーバー３に転送し、カード作成装置６０に対してメンバーズカード１０を発注する。その後、オンライン受験主催者センター１０１はステップＢ１８でカード作成者からメンバーズカード１０の作成状況（ステータス）を確認するようになされる。
【０１９９】
なお、ステップＢ４でユーザ５の撮影顔画像が未だ登録されていない場合は、ステップＢ１９に移行して登録を促すような案内表示処理がなされる。例えば、ステップＢ２０に移行して撮像システム１の場所を表示する。このとき、情報処理装置４０Ｂは、予め顔画像撮影協力店となっている撮影場所を検索可能なＷＥＢ画面をユーザ５の情報処理装置４０Ａに提供する。その後、ステップＢ２２に移行する。
【０２００】
また、ステップＢ３でオンライン試験申込みではない場合は、ステップＢ２１に移行して他の処理を実行し、その後、ステップＢ２２に移行する。ステップＢ２２でインターネット２等の接続「断」処理をして情報処理を終了する。その後、ステップＢ２３に移行して情報処理の終了を判断する。例えば、電源オフ情報を検出して情報処理を終了する。電源オフ情報が検出されない場合は、ステップＢ１に戻って上述した情報処理を繰り返すようになされる。
【０２０１】
［撮影システムにおける処理例］
図３２は撮影システム１における処理例を示すフローチャートである。この撮影システム１では、撮影顔画像を登録するユーザ５を受け付けると共に、当該ユーザ５を撮影して顔画像データＤfaを取得する場合を前提とする。図４に示した撮影装置２０では、例えば、電源がオンされると、制御装置２５内のＣＰＵ５３はＲＯＭ５１からシステムプログラムデータを読み出してシステムを起動する。
【０２０２】
これを処理条件にして、図３２に示すフローチャートのステップＣ１で撮影装置２０は撮影要求を待機する。撮影要求が有った場合は、制御装置２５は、ステップＣ２に移行して画像ＩＤ情報やパスワード（ＰＷ）等を入力する。このとき、操作手段２４は、画像ＩＤ情報や、撮影日情報、被撮影者であるユーザ５のパスワードを入力するように操作される。画像ＩＤ情報は顔画像データＤfaを特定するために使用される。画像ＩＤ情報や、パスワード（ＰＷ）及び撮影日情報は、操作データＤ１３として制御装置２５に出力される。ＣＰＵ５３は操作手段２４からの操作データＤ１３に基づいて当該撮影装置全体を制御するようになされる。
【０２０３】
その後、ステップＣ３に移行して撮影装置２０を使用してユーザ５を撮影し、顔画像データＤfaを取得する。このとき、ユーザ５は所定の椅子等に着席し、カメラ２１によって、ユーザ５が撮影され、デジタルの顔画像データＤfa（撮影情報）がＨＤＤ２３に出力される。
【０２０４】
そして、ステップＣ４に移行して撮影顔画像に関してユーザ５の同意を得るべく、モニタ２２には被撮影者を撮影して得た上半身を含む顔画像が表示される。ユーザ５の撮影顔画像は制御装置２５で画像処理された後の表示データＤ１２に基づいて表示される。ここで、顔画像サーバー３０に登録するための撮影顔画像は、ユーザ５に確認してもらうようになされる。
【０２０５】
ユーザ５による同意が得られない場合は（ＮＧ）は、ステップＣ３に戻って撮影処理を繰り返すようになされる。ユーザ５による同意が得られた場合（ＯＫ）は、ステップＣ５に移行して、ユーザ５に対してパスワードの変更するか否かが確認される。例えば、パスワード変更の有無はモニタ２２に「パスワード  変更する  変更しない」の文字情報を表示し、いずれか一方を操作手段２４を使用して選択するようになされる。
【０２０６】
パスワードの変更する場合は、ステップＣ６に移行してパスワード変更処理を実行する。例えば、操作手段２４を使用して新たなパスワードを制御装置２５へ入力するようになされる。パスワードを変更しない場合及び、ステップＣ６でパスワード変更処理を終了した場合は、ステップＣ７に移行して顔画像データＤfaに撮影日情報が付加される。撮影日情報を付加した顔画像データＤfaは、ＨＤＤ２３に一時格納される。
【０２０７】
その後、ステップＣ８で撮影日情報を付加した顔画像データＤfaを通信モデム２７やインターネット２等を通じてカード作成システム１０２に送信される。カード作成システム１０２では管理サーバー３、専用の通信回線４を通じて顔画像データＤfa＋撮影日情報が顔画像サーバー３０へ格納され、撮影顔画像の登録を完了する。
【０２０８】
この時点で、ユーザ５の顔画像データＤfa＋撮影日情報に登録日情報を付加して顔画像サーバー３０に登録するようにしてもよい。その後、ステップＣ９に移行して他のユーザ５の顔画像撮影が終了したかをチェックする。他のユーザ５の顔画像撮影が終了していない場合は、ステップＣ１に戻って上述した処理を繰り返すようになされる。
【０２０９】
［撮影画像登録管理系における処理例］
この例で撮影画像登録管理系については、ユーザ５の顔画像データ登録時とその顔画像データ配信時の２つに分けて説明をする。この例では、顔画像データ登録及び、顔画像データ配信に関してカード作成システム１０２の管理サーバー３が窓口となる場合を例に挙げる。
【０２１０】
（顔画像データ登録時）
図３３は撮影画像登録管理系における顔画データ登録時の処理例を示すフローチャートである。この例で、インターネット２等を通じてカード作成システム１０２に送信されてくる顔画像データＤfa＋撮影日情報は、専用の通信回線４を通じて管理サーバー３から顔画像サーバー３０へ転送し登録する場合を前提とする。図５に示した顔画像サーバー３０では、電源がオンされると、制御装置３５内のＣＰＵ５３は、ＲＯＭ５１からシステムプログラムデータを読み出してシステムを起動し、操作手段３４からの操作データＤ２３に基づいて当該顔画像サーバー全体を制御するようになされる。
【０２１１】
これを処理条件にして、図３３に示すフローチャートのステップＥ１で管理サーバー３は回線接続要求を待機する。回線接続要求が有った場合は、ステップＥ２に移行してインターネット２等の通信回線と当該管理サーバー３とを接続する。そして、ステップＥ３で管理サーバー３は、撮影システム１から顔画像データＤfa＋撮影日情報を受信する。顔画像データＤfaは、撮影システム１の撮影装置２０等によりユーザ５を撮影して取得されたものである。顔画像データＤfaには撮影日情報が付加される。
【０２１２】
ステップＥ４で管理サーバー３は顔画像データＤfa＋撮影日情報を顔画像サーバー３０へ登録するようになされる。顔画像サーバー３０で顔画像データＤfa＋撮影日情報に登録日情報を付加して登録するようにしてもよい。制御装置３５は有効期限を判別するために時刻管理をするようになされる。制御装置３５は撮影システム１から受信した顔画像データＤfaに、撮影日情報を付加したり、情報処理手段３１によって登録日情報を付加する処理をするようになされる。ユーザ５の顔画像データＤfaは、撮影日情報や、登録年月日情報等を付加してＨＤＤ３３に登録される。
【０２１３】
ステップＥ５で制御装置２５は、撮影システム１から受信した全ての顔画像データＤfa＋撮影日情報を登録したかをチェックする。制御装置２５は顔画像データＤfa＋撮影日情報の終了フラグを検出することで登録有無を判断する。全ての顔画像データＤfa＋撮影日情報を登録した場合は、ステップＥ６に移行してインターネット２等の通信回線に対する接続「断」処理してステップＥ１に戻る。ステップＥ１では登録受け付け処理を繰り返すようになされる。
【０２１４】
（顔画像データ配信時）
図３４は撮影画像登録管理系における顔画像データ配信時の処理例を示すフローチャートである。管理サーバー３は、専用の通信回線４を通じて顔画像サーバー３０の通信モデム３７に接続される。顔画像サーバー３０は、管理サーバー３を通じて撮影システム１や、オンライン受験主催者センター１０１等と通信処理するように動作する。
【０２１５】
これを処理条件にして、図３４に示すフローチャートのステップＦ１で管理サーバー３は回線接続要求を待機する。回線接続要求が有った場合は、ステップＦ２に移行してインターネット２等の通信回線を接続する。ステップＦ３で管理サーバー３は、オンライン受験主催者センター１０１から顔画像データの使用要求及び有効期限情報を受信する。
【０２１６】
このとき、顔画像サーバー３０の情報処理手段３１では、所定のアプリケーションに基づいて当該顔画像サーバーＷＥＢサイトＷ２１〜Ｗ２３を立ち上げる処理がなされる。また、顔画像サーバーＷＥＢサイトＷ２３を立ち上げて、そのユーザ５の撮影顔画像を画面に表示する。この顔画像画面の下方には、「パスワード変更  使用／削除」等の選択項目も併せて表示される。
【０２１７】
ステップＦ４で管理サーバー３は顔画像サーバー３０を参照して当該ユーザ５の画像ＩＤ情報を検索する。顔画像サーバー３０に当該ユーザ５の画像ＩＤ情報が検出されると、ステップＦ５で管理サーバー３は、オンライン受験主催者センター１０１から受信した有効期限情報と予め顔画像サーバー３０に登録された撮影日情報とを比較する。
【０２１８】
そして、ステップＦ６で、ユーザ５の撮影顔画像が有効期限を越えるか否かを判別する。有効期限を越えるか否かは、ユーザ５の撮影日から当該カード作成要求日に至る期間と、予めカード用途毎に要求される有効期限とを比較することで判断される。これは、情報比較結果に基づいてオンライン受験主催者センター１０１へサムネイル画像を提供したり、カード作成装置６０へ顔画像データＤfaを配信するためである。上述のユーザ５の撮影顔画像が有効期限を越えるか否かの判別は、管理サーバー３で実行させる場合に限られることはなく、顔画像サーバー３０で実行させるようにしてもよい。
【０２１９】
ユーザ５の撮影顔画像が有効期限内である場合は、ステップＦ７に移行してオンライン受験主催者センター１０１へユーザ５の撮影顔画像に係るサムネイル画像を配信する。その後、ステップＦ９に移行してカードサンプルを配信する。そして、ステップＦ９でメンバーズカード１０の注文を受信する。その後、ステップＦ１１に移行する。
【０２２０】
また、ステップＦ６でユーザ５の撮影顔画像が有効期限を越える場合は、ステップＦ１０に移行してオンライン受験主催者センター１０１へ有効期限切れ情報を返信して、サムネイル画像の配信を拒否する。これと共に、当該顔画像サーバー３０からカード作成装置６０への顔画像データＤfaの配信を拒否するようになされる。その後、ステップＦ１１に移行して、インターネット２等の通信回線を接続「断」処理して情報処理を終了する。
【０２２１】
なお、非会員であるユーザ５が管理サーバー３にアクセスして来た場合、顔画像サーバーＷＥＢサイトＷ２２を立ち上げて、全国を示す日本地図と共に、図示しない写真店や、フォトカプセル、団体撮影等の撮影システム１の場所を表示するように処理してもよい。
【０２２２】
［カード作成装置における処理例］
図３５はカード作成装置６０における処理例を示すフローチャートである。この実施例では、顔画像サーバー３０からユーザ５の顔画像データＤfaを取得し、オンライン受験主催者センター１０１から当該ユーザ５の個人情報Ｄ１を取得して、ユーザ５の顔画像データＤfa及び個人情報Ｄ１に基づく撮影顔画像入りのカードを作成する場合を前提とする。個人情報Ｄ１はオンライン受験主催者センター１０１がユーザ５から取得したものである。
【０２２３】
図７に示したカード作成装置６０では、電源がオンされると、制御装置６５内のＣＰＵ５３は、ＲＯＭ５１からシステムプログラムデータを読み出してシステムを起動し、操作手段６４からの操作データＤ４３に基づいて当該カード作成装置全体を制御するようになされる。カード作成装置６０は通信モデム６７、通信回線４を通じて管理サーバー３に接続され、管理サーバー３を通じて撮影システム１や、オンライン受験主催者センター１０１等と通信処理するようになされる。
【０２２４】
これを処理条件にして、図３５に示すフローチャートのステップＧ１で制御装置６５はカード作成要求を待機する。カード作成要求が有った場合は、ステップＧ２でユーザ５の顔画像データＤfa＋個人情報Ｄ１を入力する。このとき、カード作成装置６０は、専用の通信回線４を通じて顔画像サーバー３０から顔画像データＤfaを取得する。オンライン受験主催者センター１０１からインターネット２及び管理サーバー３を通じて当該ユーザ５の個人情報Ｄ１を取得する。顔画像データＤfa＋個人情報Ｄ１は、プリントサーバー６を構成するＨＤＤ６３に、一時格納される。
【０２２５】
また、メンバーズカード１０を形成する際の画像形成条件等は、操作手段６４を操作して入力される。例えば、撮影顔画像の色相等が調整される。このとき、モニタ６２にはメンバーズカード形成後の完成予想画面等が表示される。カード作成者側で完成後のメンバーズカード１０を事前に確認するためである。メンバーズカード形成後の完成予想画面は、制御装置６５で画像処理された後の表示データＤ１２に基づいて表示される。メンバーズカード形成後の完成予想画面は、顔画像サーバー３０に登録された顔画像を所定のカード部材１１に当てはめたものである。このメンバーズカード形成後の完成予想画面は、被撮影者（ユーザ）５に確認してもらうようになされる（カードサンプル）。
【０２２６】
そして、ステップＧ３で画像形成手段６１は、ＨＤＤ６３から顔画像データＤfa＋個人情報Ｄ１を読み出してカード作成可能な画像形成データに変換する。例えば、制御装置６５はその画像処理機能を利用して、Ｒ（赤），Ｇ（緑），Ｂ（青）色成分の顔画像データＤfaをプリント可能なＹ（イエロー）、Ｍ（マゼンタ）、Ｃ（シアン）、Ｋ（ブラック）色成分の画像形成データに色変換処理をする。
【０２２７】
そして、ステップＧ４で画像形成手段６１はカード部材１１を供給処理した後、ステップＧ５でユーザ５の撮影顔画像に基づくＹ、Ｍ、Ｃ、Ｋ色成分の画像形成データ（顔画像データ）及び、その個人情報Ｄ１に基づいて、図３に示したようなカード部材１１に文字情報及び顔画像を印刷して、メンバーズカード（撮影顔画像入りのカード）１０を作成する。その後、ステップＧ６で画像形成手段６１はメンバーズカード１０を排出する。そして、ステップＧ１に戻って上述した処理を繰り返すようになされる。画像形成手段６１によって形成されたメンバーズカード１０はユーザ５に配送するようになされる。
【０２２８】
このように、本発明に係る第１の実施例としてのカード作成システム及び、カード作成方法によれば、ユーザ５の撮影顔画像に基づいてメンバーズカード１０を作成する場合に、顔画像サーバー３０は、情報処理装置４０Ｂから受信した有効期限情報と当該顔画像サーバー３０で管理する撮影日情報とを比較し、この情報比較結果に基づいて当該顔画像サーバー３０からカード作成装置６０へのユーザ５の顔画像データＤfaの配信が可能か否かを判別するようになされる。
【０２２９】
従って、ユーザ５の撮影顔画像が有効期限を越える場合は、顔画像サーバー３０からカード作成装置６０への顔画像データＤfaの配信を拒否することができる。これにより、有効期限内の撮影顔画像を用いたカードを作成できるので、撮影顔画像が形成されるカードの新規性かつ信頼性を向上させることができる。
【０２３０】
しかも、顔画像サーバー３０に登録されたユーザ５の撮影顔画像が有効期限内であれば、当該撮影顔画像を何度も使用して複数種類のカード、例えば、各種試験申し込み時の顔画像入りの申請書類、試験場における受験票、学校等における学生証、パスポート、身分証明書、図書館利用カード等を作成することができる。
【実施例２】
【０２３１】
（２）第２の実施例
本発明に係る第２のカード作成システムは、ユーザ５の撮影顔画像に基づいて任意のカードを作成するシステムであって、例えば、第１の実施例で説明したオンライン受験システム１００とに同様な構成が採られる。従って、その説明を省略する。第１の実施例と異なるのは、第２の実施例では、有効期限の判定処理をユーザ５の情報処理装置４０Ａで実行するようにしたものである。
【０２３２】
つまり、第２のカード作成システムは、ユーザ５を撮影して顔画像データＤfaを取得する撮影装置２０と、この撮影装置２０によって取得されたユーザ５の顔画像データＤfaに撮影日情報を付加して管理する顔画像サーバー３０と、この顔画像サーバー３０からユーザ５の顔画像データＤfaを取得し、かつ、当該ユーザ５から個人情報Ｄ１を取得して、ユーザ５の顔画像データＤfa及び個人情報Ｄ１に基づく撮影顔画像入りのカードを作成するカード作成装置６０と、このカード作成装置６０に対して有効期限情報及びユーザ５の個人情報Ｄ１を出力してカード作成を要求するように処理される情報処理装置４０Ａとを備えるものである。
【０２３３】
この情報処理装置４０Ａは、有効期限情報を入力し、かつ、顔画像サーバー３０からユーザ５の撮影日情報を入力し、有効期限情報とユーザ５の撮影日情報とを比較し、当該情報比較結果に基づいてカードが作成可能な否かを判別するようになされる。
【０２３４】
従って、ユーザ５の撮影顔画像が有効期限を越える場合は、顔画像サーバー３０からカード作成装置６０へのユーザ５の顔画像データＤfaの配信を拒否することができる。これにより、有効期限内の撮影顔画像を用いたカードを作成できるので、撮影顔画像が形成されるカードの新規性かつ信頼性を向上させることができる。しかも、第１の実施例と同様にして、ユーザ５の撮影顔画像が有効期限内であれば、当該撮影顔画像を何度も使用して複数種類のカードを作成することができる。
【０２３５】
この他に、第１及び第２のカード作成システム及びカード作成方法によれば、以下の特徴を有している。ユーザ５の顔画像が無いと登録できないシステムを構築できる。顔画像データＤfaと個人情報Ｄ１とがセットになった申し込みシステムを構築できる。オンライン試験センターへの申し込み時の顔画像で、試験申し込みから、当日の認証処理、合格証カードの発行、あるいは、資格所有者証明等、全てに渡るシステムを構築することができる。更に、日本全国統一基準の顔画像データＤfaを使用したメンバーズカード１０が作成できる。
【０２３６】
また、撮影場所が検索できるシステムや、申し込み画像が顔画像サーバー３０に登録されているので、再発行などでユーザ５の入れ替わりができないシステムを構築することができる。顔画像に関して、ユーザ５の使用許諾を得るので、本人の顔画像を本人が確認して本人がメンバーズカードを申し込むシステムを構築することができる。なお、撮影画像登録管理側では、個人情報Ｄ１を顔画像データＤfaに結合して顔画像サーバー３０に登録する必要がない。
【産業上の利用可能性】
【０２３７】
本発明は、インターネットを利用して各種試験の受験申し込み及び、その試験の受験カード取得が可能なオンライン受験システム等に適用して極めて好適である。
【図面の簡単な説明】
【０２３８】
【図１】本発明の各実施例としてのオンライン受験システム１００の構成例を示す概念図である。
【図２】オンライン受験システム１００における情報処理例を示す概念図である。
【図３】オンライン受験システム１００等で作成されるメンバーズカード１０の構成例を示す平面図である。
【図４】撮影装置２０の内部構成例を示すブロック図である。
【図５】顔画像サーバー３０の内部構成例を示すブロック図である。
【図６】情報処理装置４０Ｂの内部構成例を示すブロック図である。
【図７】カード作成装置６０の内部構成例を示すブロック図である。
【図８】Ａ〜Ｃは、無料登録・ログイン時の画面表示遷移例（その１）を示す図である。
【図９】Ａ及びＢは、無料登録・ログイン時の画面表示遷移例（その２）を示す図である。
【図１０】Ａ〜Ｃは、有料会員登録時の画面表示遷移例（その１）を示す図である。
【図１１】Ａ〜Ｃは、有料会員登録時の画面表示遷移例（その２）を示す図である。
【図１２】Ａ〜Ｃは、有料会員登録時の画面表示遷移例（その３）を示す図である。
【図１３】Ａ〜Ｃは、有料会員ログイン後のオンライン試験申込み画面Ｐ２の表示遷移例（その１）を示す図である。
【図１４】Ａ〜Ｃは、有料会員ログイン後のオンライン試験申込み画面Ｐ２の表示遷移例（その２）を示す図である。
【図１５】Ａ及びＢは、無料会員ログイン後のオンライン試験申込み画面Ｐ３の表示遷移例を示す図である。
【図１６】Ａ及びＢは、非会員直接参入時のオンライン試験申込み画面Ｐ４の表示遷移例（その１を示す図である。
【図１７】Ａ〜Ｄは、非会員直接参入時のオンライン試験申込み画面Ｐ４の表示遷移例（その２）を示す図である。
【図１８】Ａ〜Ｄは、非会員直接参入時のオンライン試験申込み画面Ｐ４の表示遷移例（その３）を示す図である。
【図１９】Ａ〜Ｃは、ｅ−ラーニング申込み画面Ｐ５の表示遷移例（その１）を示す図である。
【図２０】ｅ−ラーニング申込み画面Ｐ５の表示遷移例（その２）を示す図である。
【図２１】Ａ及びＢは、マイページ画面Ｐ６の表示遷移例（その１）を示す図である。
【図２２】Ａ〜Ｃは、マイページ画面Ｐ６の表示遷移例（その２）を示す図である。
【図２３】オンライン試験受験時の処理例（その１）を示す図である。
【図２４】オンライン試験受験時の処理例（その２）を示す図である。
【図２５】オンライン試験受験時の処理例（その３）を示す図である。
【図２６】オンライン試験結果画面Ｐ８の表示例を示す図である。
【図２７】Ａ〜Ｄは、合格認定カード発行時の処理例を示す図である。
【図２８】情報処理装置４０Ａにおけるカード作成要求時の処理例（その１）を示すフローチャートである。
【図２９】情報処理装置４０Ａにおけるカード作成要求時の処理例（その２）を示すフローチャートである。
【図３０】オンライン受験主催者センター１０１における処理例（その１）を示すフローチャートである。
【図３１】オンライン受験主催者センター１０１における処理例（その２）を示すフローチャートである。
【図３２】撮影システム１における処理例を示すフローチャートである。
【図３３】撮影画像登録管理系における顔画データ登録時の処理例を示すフローチャートである。
【図３４】撮影画像登録管理系における顔画像データ配信時の処理例を示すフローチャートである。
【図３５】カード作成装置６０における処理例を示すフローチャートである。
【符号の説明】
【０２３９】
１  撮影システム  
２  インターネット（通信モデム）
３  管理サーバー（撮影画像登録管理系）
４  通信回線
６  プリントサーバー
１０  メンバーズカード（カード）
２０  撮影装置
３０  顔画像サーバー（撮影画像登録管理装置）
４０Ａ，４０Ｂ，４０Ｃ  情報処理装置
６０  カード作成装置
１００  オンライン受験システム（カード作成システム）
【図１】
2005196294.tif 000003
【図２】
2005196294.tif 000004
【図３】
2005196294.tif 000005
【図４】
2005196294.tif 000006
【図５】
2005196294.tif 000007
【図６】
2005196294.tif 000008
【図７】
2005196294.tif 000009
【図８】
2005196294.tif 000010
【図９】
2005196294.tif 000011
【図１０】
2005196294.tif 000012
【図１１】
2005196294.tif 000013
【図１２】
2005196294.tif 000014
【図１３】
2005196294.tif 000015
【図１４】
2005196294.tif 000016
【図１５】
2005196294.tif 000017
【図１６】
2005196294.tif 000018
【図１７】
2005196294.tif 000019
【図１８】
2005196294.tif 000020
【図１９】
2005196294.tif 000021
【図２０】
2005196294.tif 000022
【図２１】
2005196294.tif 000023
【図２２】
2005196294.tif 000024
【図２３】
2005196294.tif 000025
【図２４】
2005196294.tif 000026
【図２５】
2005196294.tif 000027
【図２６】
2005196294.tif 000028
【図２７】
2005196294.tif 000029
【図２８】
2005196294.tif 000030
【図２９】
2005196294.tif 000031
【図３０】
2005196294.tif 000032
【図３１】
2005196294.tif 000033
【図３２】
2005196294.tif 000034
【図３３】
2005196294.tif 000035
【図３４】
2005196294.tif 000036
【図３５】
2005196294.tif 000037